(57)【特許請求の範囲】
【請求項１】
無線通信システムにおいてＵＥ（User Equipment）がＣＳＩ−ＲＳ（Channel State Information-Reference Signal）に基づいた報告を行う方法において、
ＢＳ（base station）から、（ｉ）前記ＣＳＩ−ＲＳに基づいた報告のための設定と、（ｉｉ）ＣＳＩ−ＲＳ資源設定を受信する段階であって、
前記設定は、前記ＣＳＩ−ＲＳ資源設定と関連し、
前記ＣＳＩ−ＲＳ資源設定は、（ｉ）時間単位に基づく第１ＣＳＩ−ＲＳ資源セットと、（ｉｉ）サブ時間単位に基づく第２ＣＳＩ−ＲＳ資源セットに対する情報を含み、
前記時間単位は複数のサブ時間単位を含み、
前記第１ＣＳＩ−ＲＳ資源セットはＣＳＩを報告するように設定され、前記第２ＣＳＩ−ＲＳ資源セットはビーム管理に対して設定される、段階と、
前記第２ＣＳＩ−ＲＳ資源セットに含まれる複数のＣＳＩ−ＲＳ資源を受信する段階と、
（ｉ）前記複数のＣＳＩ−ＲＳ資源が同一の送信ビームを介して送信されることと、（ｉｉ）前記ＣＳＩ−ＲＳに基づいた報告が‘Ｎｏ  ｒｅｐｏｒｔ’として設定されたこととに基づいて、ＣＲＩ（CSI-RS resource indicator）を含むいずれのＣＳＩも前記ＢＳに報告することをスキップする段階と、を含む、方法。
【請求項２】
前記ＣＳＩ−ＲＳ資源設定と関連して、前記ＵＥが前記ＢＳに前記ＣＲＩを含むいずれのＣＳＩも報告しないことを設定するための情報を、前記ＢＳから受信する段階をさらに含む、請求項１に記載の方法。
【請求項３】
前記複数のＣＳＩ−ＲＳ資源が前記同一の送信ビームを介して送信されるように設定されることに基づいて、前記複数のＣＳＩ−ＲＳ資源に対する測定結果に基づいて前記ＵＥの受信ビームを選択する段階をさらに含む、請求項１に記載の方法。
【請求項４】
前記ＵＥの前記受信ビームを選択する前記段階は、
前記複数のＣＳＩ−ＲＳ資源を複数の異なる受信ビーム群を用いて測定する段階と、
前記測定結果に基づいて前記複数の異なる受信ビーム群のうち少なくとも１つの受信ビームを選択する段階と、を含む、請求項３に記載の方法。
【請求項５】
前記ＢＳは、前記ＵＥから送信された前記ＣＲＩに基づいて異なる送信ビーム群のうちの少なくとも１つの送信ビームを選択するネットワークノードである、請求項３に記載の方法。
【請求項６】
前記受信ビームと前記送信ビームは、一緒に選択されるか、予め設定された順序に従って順次選択される、請求項５に記載の方法。
【請求項７】
前記予め設定された順序は、前記送信ビームから前記受信ビームへの順序として決定される、請求項６に記載の方法。
【請求項８】
無線通信システムにおいてＣＳＩ−ＲＳ（Channel State Information-Reference Signal）に基づいた報告を行うＵＥ（User Equipment）において、
無線信号を送受信するためのＲＦ（Radio Frequency）ユニットと、
前記ＲＦユニットを制御するためのプロセッサと、を含み、
前記プロセッサは、ＢＳ（base station）から，（ｉ）前記ＣＳＩ−ＲＳに基づいた報告のための設定と，（ｉｉ）ＣＳＩ−ＲＳ資源設定とを受信し、
前記設定は、前記ＣＳＩ−ＲＳ資源設定と関連し、
前記ＣＳＩ−ＲＳ資源設定は、（ｉ）時間単位に基づく第１ＣＳＩ−ＲＳ資源セットと、（ｉｉ）サブ時間単位に基づく第２ＣＳＩ−ＲＳ資源セットに対する情報を含み、
前記時間単位は複数のサブ時間単位を含み、
前記第１ＣＳＩ−ＲＳ資源セットはＣＳＩを報告するように設定され、前記第２ＣＳＩ−ＲＳ資源セットはビーム管理に対して設定され、
前記第２ＣＳＩ−ＲＳ資源セットに含まれる複数のＣＳＩ−ＲＳ資源を受信し、
（ｉ）前記複数のＣＳＩ−ＲＳ資源が同一の送信ビームを介して送信されることと、（ｉｉ）前記ＣＳＩ−ＲＳに基づいた報告が‘Ｎｏ  ｒｅｐｏｒｔ’として設定されたこととに基づいて、ＣＲＩ（CSI-RS resource indicator）を含むいずれのＣＳＩも前記ＢＳに報告しない、ように設定される、ＵＥ。
【請求項９】
前記プロセッサは、前記ＣＳＩ−ＲＳ資源設定と関連して、前記ＵＥが前記ＢＳに前記ＣＲＩを含むいずれのＣＳＩも報告しないことを設定するための情報を、前記ＢＳから受信するように設定される、請求項８に記載のＵＥ。
【請求項１０】
前記ＣＳＩ−ＲＳ資源設定は、前記時間単位内の前記サブ時間単位の位置を示すためのビットマップ情報を含む、請求項１に記載の方法。
【請求項１１】
前記ＣＳＩ−ＲＳ資源設定は、前記時間単位内の前記サブ時間単位の位置を示すためのビットマップ情報を含む、請求項８に記載のＵＥ。
【発明の詳細な説明】
【技術分野】
【０００１】
本発明は、無線通信システムに関し、より詳細には、端末のＣＳＩ−ＲＳ資源の参照信号受信方法及びそのための装置に関する。
【背景技術】
【０００２】
移動通信システムは、ユーザの活動性を保証しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅に増加した接続デバイス数の収容、非常に低いエンドツーエンド遅延（Ｅｎｄ−ｔｏ−Ｅｎｄ  Ｌａｔｅｎｃｙ）、高エネルギー効率を支援できなければならない。このために、デュアルコネクティビティ（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多元接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）等、多様な技術が研究されている。
【発明の概要】
【発明が解決しようとする課題】
【０００４】
本発明の目的は、新しい無線通信システムにおいて適用できるＣＳＩ取得手順を提案することにある。特に、本発明の目的は、基地局の最適な送信／受信ビーム及び端末の最適な受信／送信ビームを決定するための効率的なＣＳＩ取得手順を提案することにある。
【０００５】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００６】
本発明の一実施形態による無線通信システムにおけるＵＥ（User Equipment）のＣＳＩ（Channel State Information）−ＲＳ（Reference Signal）資源受信方法において、基地局から複数のＣＳＩ−ＲＳ資源が含まれたＣＳＩ−ＲＳ資源セットの設定を受ける段階と、前記複数のＣＳＩ−ＲＳ資源を受信する段階と、前記複数のＣＳＩ−ＲＳ資源の異なる送信ビームによる送信が設定された場合、前記複数のＣＳＩ−ＲＳ資源に対するＣＲＩ（CSI-RS Resource Indicator）を前記基地局に報告し、前記複数のＣＳＩ−ＲＳ資源の同一の送信ビームによる送信が設定された場合、前記複数のＣＳＩ−ＲＳ資源に対する前記ＣＲＩを前記基地局に報告しない段階と、を含んでもよい。
【０００７】
さらに、前記ＣＳＩ−ＲＳ資源セットは、ＣＳＩ報告のためのＲＳ（resource）セッティングにより前記ＵＥに設定されることができる。
【０００８】
さらに、前記ＣＳＩの報告方式は、前記ＣＳＩ−ＲＳ資源セッティングと関連したＣＳＩ報告セッティングにより前記ＵＥに設定されることができる。
【０００９】
さらに、前記ＣＳＩ−ＲＳ資源に関連して「Ｎｏ ｒｅｐｏｒｔ」が前記ＵＥに設定された場合、前記ＣＲＩを含むいかなるＣＳＩも前記基地局に報告されないことができる。
【００１０】
さらに、前記ＲＳセッティングと前記ＣＳＩ報告セッティングとの間の連結関係は、前記ＵＥに設定される測定セッティングにより指示されることができる。
【００１１】
さらに、前記ＣＳＩ−ＲＳ資源受信方法は、前記複数のＣＳＩ−ＲＳ資源の前記同一の送信ビームによる送信が設定された場合、前記複数のＣＳＩ−ＲＳ資源に対する測定結果に基づいて前記ＵＥの受信ビームを選択する段階をさらに含んでもよい。
【００１２】
さらに、前記ＵＥの前記受信ビームを選択する段階は、前記複数のＣＳＩ−ＲＳ資源を異なる受信ビームを用いて測定する段階と、前記複数のＣＳＩ−ＲＳ資源に対する測定結果に基づいて前記異なる受信ビームのうち少なくとも１つの受信ビームを選択する段階とを含んでもよい。
【００１３】
さらに、前記基地局は、前記ＵＥから送信されたＣＲＩに基づいて前記異なる送信ビームのうち少なくとも１つの送信ビームを選択するネットワークノードであってもよい。
【００１４】
さらに、前記受信ビームと前記送信ビームは、一緒に（jointly）選択されるか、予め設定された順序に従って順次選択されることができる。
【００１５】
さらに、前記予め設定された順序は、前記送信ビームから前記受信ビームへの順序で決定されることができる。
【００１６】
さらに、本発明の他の実施形態による無線通信システムにおいてＣＳＩ（Channel State Information）−ＲＳ（Reference Signal）資源を受信するＵＥ（User Equipment）は、無線信号を送受信するためのＲＦ（Radio Frequency）ユニットと、前記ＲＦユニットを制御するプロセッサと、を含み、前記プロセッサは、基地局から複数のＣＳＩ−ＲＳ資源を含むＣＳＩ−ＲＳ資源セットの設定を受け、前記複数のＣＳＩ−ＲＳ資源を受信し、前記複数のＣＳＩ−ＲＳ資源の異なる送信ビームによる送信が設定された場合、前記複数のＣＳＩ−ＲＳ資源に対するＣＲＩ（CSI-RS Resource Indicator）を前記基地局に報告し、前記複数のＣＳＩ−ＲＳ資源の同一の送信ビームによる送信が設定された場合、前記複数のＣＳＩ−ＲＳ資源に対する前記ＣＲＩを前記基地局に報告しないことができる。
【００１７】
さらに、前記ＣＳＩ−ＲＳ資源セットは、ＣＳＩ報告のためのＲＳ（resource）セッティングにより前記ＵＥに設定されることができる。
【００１８】
さらに、前記ＣＳＩの報告方式は、前記ＣＳＩ−ＲＳ資源セッティングと関連したＣＳＩ報告セッティングにより前記ＵＥに設定されることができる。
【００１９】
さらに、前記ＣＳＩ−ＲＳ資源と関連して「Ｎｏ ｒｅｐｏｒｔ」が前記ＵＥに設定された場合、前記ＣＲＩを含む他のいかなるＣＳＩも前記基地局に報告されないことができる。
【００２０】
さらに、前記ＲＳセッティングと前記ＣＳＩ報告セッティングとの間の接続関係は、前記ＵＥに設定される測定セッティングにより指示されることができる。
【発明の効果】
【００２１】
本発明の一実施形態によれば、最適なビーム選択のためのＣＳＩ手順導入によって最適な基地局送信／受信ビーム及び最適な端末送信／受信ビームの選択が可能となるので、送信効率が向上するという効果が発生する。
【００２２】
本発明で得ることができる効果は、以上で言及した効果に制限されず、言及しない更に他の効果は以下の記載から本発明が属する技術分野で通常の知識を有する者に明確に理解されるはずである。
【図面の簡単な説明】
【００２３】
本発明に関する理解を助けるために詳細な説明の一部として含まれる添付図面は、本発明に対する実施形態を提供し、詳細な説明と共に本発明の技術的特徴を説明する。
【００２４】
【図１】本発明が適用できる無線通信システムにおける無線フレームの構造を示す。
【図２】本発明が適用できる無線通信システムにおける１つのダウンリンクスロットに対する資源グリッド（ｒｅｓｏｕｒｃｅ  ｇｒｉｄ）を例示した図である。
【図３】本発明が適用できる無線通信システムにおけるダウンリンクサブフレームの構造を示す。
【図４】本発明が適用できる無線通信システムにおけるアップリンクサブフレームの構造を示す。
【図５】本発明が適用できる自己完結型（self-contained）サブフレーム構造を例示する。
【図６】第１ＴＸＲＵ仮想化モデルオプションであるサブアレイパーティションモデルを例示する。
【図７】第２ＴＸＲＵ仮想化モデルオプションであるフルコネクションモデルを例示する。
【図８】本発明が適用できる無線通信システムにおいてダウンリンク資源ブロック対にマッピングされた参照信号パターンを例示する。
【図９】ＴＸＲＵ別のサービス領域を例示した図である。
【図１０】本発明の一実施形態による２Ｄ ＡＡＳを用いた３Ｄ ＭＩＭＯシステムを例示した図である。
【図１１】本発明の一実施形態によるタイプ２ＣＳＩ−ＲＳ資源に対して必要なＱＣＬ連結／関係を例示した図である。
【図１２】本発明の一実施形態によるＣＳＩ−ＲＳ送信方式を例示した図である。
【図１３】本発明の一実施形態によるＲＳセッティング案を例示した図である。
【図１４】本発明の一実施形態によるＲＳセッティング案を例示した図である。
【図１５】本発明の一実施形態によるＵＥのＣＳＩ−ＲＳ資源受信方法を例示したフローチャートである。
【図１６】本発明の一実施形態による無線通信装置のブロック構成図を例示する。
【発明を実施するための形態】
【００２５】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２６】
いくつかの場合、本発明の概念が曖昧になることを避けるために、公知の構造及び装置は省略されるか、または各構造及び装置の核心機能を重心にしたブロック図形式で示されることができる。
【００２７】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。すなわち、基地局を含む複数のネットワークノード（ｎｅｔｗｏｒｋ  ｎｏｄｅｓ）からなるネットワークにおいて端末との通信のために行われる多様な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）, gNB(g-NodeB, NR(NewRAT)/5G-NodeB), Remote radio head(RRH), transmission point(TP), reception point(RP), transmission/reception point(TRP), relay などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替されることができる。
【００２８】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００２９】
以下の説明において用いられる特定用語は、本発明の理解に役立つために提供されたものであり、このような特定用語の使用は、本発明の技術的思想から外れない範囲内で他の形態に変更されることができる。
【００３０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ２０００のような無線技術（ｒａｄｉｏ  ｔｅｃｈｎｏｌｏｇｙ）により具現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により具現化されることができる。ＯＦＤＭＡは、ＩＥＥＥ  ８０２．１１（Ｗｉ−Ｆｉ）、ＩＥＥＥ  ８０２．１６（ＷＩＭＡＸ）、ＩＥＥＥ  ８０２−２０、Ｅ−ＵＴＲＡ（ｅｖｏｌｖｅｄ  ＵＴＲＡ）などのような無線技術により具現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３１】
本発明の実施の形態は、無線接続システムであるＩＥＥＥ  ８０２、３ＧＰＰ及び３ＧＰＰ２のうち、少なくとも１つに開示された標準文書により裏付けられることができる。すなわち、本発明の実施の形態のうち、本発明の技術的思想を明確にあらわすために、説明しない段階または部分は、前記文書により裏付けられることができる。また、本文書に開示しているすべての用語は、前記標準文書により説明されることができる。
【００３２】
説明を明確にするために、３ＧＰＰ  ＬＴＥ／ＬＴＥ−Ａを中心に述べるが、本発明の技術的特徴がこれに制限されることではない。
【００３３】
システム一般
【００３４】
図１は、本発明が適用できる無線通信システムにおける無線フレームの構造を示す。
【００３５】
３ＧＰＰ ＬＴＥ／ＬＴＥ−Ａでは、ＦＤＤ（Frequency Division Duplex）に適用できるタイプ１の無線フレーム（radio frame）構造とＴＤＤ（Time Division Duplex）に適用できるタイプ２の無線フレーム構造を支援する。
【００３６】
図１の（ａ）は、タイプ１の無線フレームの構造を例示する。無線フレームは１０個のサブフレームから構成される。１つのサブフレームは、時間領域（time domain）において２つのスロット（slot）から構成される。１つのサブフレームの送信にかかる時間をＴＴＩ（transmission time interval）という。例えば、１つのサブフレームの長さは１ｍｓであり、１つのスロットの長さは０．５ｍｓでありうる。
【００３７】
１つのスロットは、時間領域において複数のＯＦＤＭ（orthogonal frequency division multiplexing）シンボルを含み、周波数領域において複数の資源ブロック（ＲＢ：Resource Block）を含む。３ＧＰＰ ＬＴＥは、ダウンリンクでＯＦＤＭＡを用いるので、ＯＦＤＭシンボルは１つのシンボル区間（symbol period）を表現するためのものである。ＯＦＤＭシンボルは、１つのＳＣ−ＦＤＭＡシンボル又はシンボル区間ということができる。資源ブロックはリソース割り当て単位であり、１つのスロットにおいて複数の連続的な副搬送波（subcarrier）を含む。
【００３８】
図１の（ｂ）は、タイプ２のフレーム構造（frame structure type 2）を示す。タイプ２の無線フレームは２つのハーフフレーム（half frame）から構成され、各ハーフフレームは、５つのサブフレームとＤｗＰＴＳ（Downlink Pilot Time Slot）、保護区間（ＧＰ：Guard Period）、ＵｐＰＴＳ（Uplink Pilot Time Slot）から構成され、このうち１つのサブフレームは２つのスロットから構成される。ＤｗＰＴＳは、端末での初期セル探索、同期化又はチャネル推定に用いられる。ＵｐＰＴＳは、基地局でのチャネル推定と端末のアップリンク送信同期を合わせるのに用いられる。保護区間は、アップリンクとダウンリンクとの間にダウンリンク信号のマルチパス遅延によりアップリンクで発生する干渉を除去するための区間である。
【００３９】
ＴＤＤシステムのタイプ２のフレーム構造において、アップリンク−ダウンリンク構成（uplink-downlink configuration）は全てのサブフレームに対してアップリンクとダウンリンクが割り当てられる（又は、予約される）かを示す規則である。表１はアップリンク−ダウンリンク構成を示す。
【００４０】
【表１】
0006989617.tif 000002
【００４１】
表１を参照すると、無線フレームの各サブフレーム別に、「Ｄ」はダウンリンク送信のためのサブフレームを示し、「Ｕ」はアップリンク送信のためのサブフレームを示し、「Ｓ」はＤｗＰＴＳ、ＧＰ、ＵｐＰＴＳの３種類のフィールドから構成されるスペシャルサブフレーム（special subframe）を示す。アップリンク−ダウンリンク構成は、７種類に区分されることができ、各構成別にダウンリンクサブフレーム、スペシャルサブフレーム、アップリンクサブフレームの位置及び／または数が異なる。
【００４２】
ダウンリンクからアップリンクに変更される時点またはアップリンクからダウンリンクに切り替えられる時点を切り替え時点（ｓｗｉｔｃｈｉｎｇ  ｐｏｉｎｔ）という。切り替え時点の周期性（Ｓｗｉｔｃｈ−ｐｏｉｎｔ  ｐｅｒｉｏｄｉｃｉｔｙ）は、アップリンクサブフレームとダウンリンクサブフレームが切り替えられる様相が同様に繰り返される周期を意味し、５ｍｓまたは１０ｍｓが全て支援される。５ｍｓのダウンリンク−アップリンク切り替え時点の周期を有する場合には、スペシャルサブフレーム（Ｓ）は、ハーフフレーム毎に存在し、５ｍｓのダウンリンク−アップリンク切り替え時点の周期を有する場合には、１番目のハーフフレームだけに存在する。
【００４３】
すべての構成において、０番、５番サブフレーム及びＤｗＰＴＳは、ダウンリンク送信だけのための区間である。ＵｐＰＴＳ及びサブフレームのサブフレームに直ちにつながるサブフレームは、常にアップリンク送信のための区間である。
【００４４】
このような、アップリンク−ダウンリンク構成はシステム情報であって、基地局と端末ともが知っていることができる。基地局は、アップリンク−ダウンリンク構成情報が変わる毎に構成情報のインデックスだけを送信することによって、無線フレームのアップリンク−ダウンリンク割り当て状態の変更を端末に知らせることができる。また、構成情報は、一種のダウンリンク制御情報として他のスケジューリング情報と同様にＰＤＣＣＨ（Ｐｈｙｓｉｃａｌ  Ｄｏｗｎｌｉｎｋ  ｃｏｎｔｒｏｌ  Ｃｈａｎｎｅｌ）を介して送信されることができ、放送情報としてブロードキャストチャネル（ｂｒｏａｄｃａｓｔ  ｃｈａｎｎｅｌ）を介してセル内のすべての端末に共通に送信されることもできる。
【００４５】
表２は、スペシャルサブフレームの構成（ＤｗＰＴＳ／ＧＰ／ＵｐＰＴＳの長さ）を示す。
【００４６】
【表２】
0006989617.tif 000003
【００４７】
１つの例示に過ぎず、無線フレームに含まれる副搬送波の数またはサブフレームに含まれるスロットの数、スロットに含まれるＯＦＤＭシンボルの数は、多様に変更されることができる。
【００４８】
図２は、本発明が適用されることができる無線通信システムにおける１つのダウンリンクスロットに対する資源グリッド（ｒｅｓｏｕｒｃｅ  ｇｒｉｄ）を示した図である。
【００４９】
図２に示すように、１つのダウンリンクスロットは、時間領域において複数のＯＦＤＭシンボルを含む。ここで、１つのダウンリンクスロットは、７個のＯＦＤＭシンボルを含み、１つの資源ブロックは、周波数領域において１２個の副搬送波を含むことを例示的に述べるが、これに限定されるものではない。
【００５０】
資源グリッド上において各要素（ｅｌｅｍｅｎｔ）を資源要素（ｒｅｓｏｕｒｃｅ  ｅｌｅｍｅｎｔ）とし、１つの資源ブロック（ＲＢ：ｒｅｓｏｕｒｃｅ  ｂｌｏｃｋ）は、１２×７個の資源要素を含む。ダウンリンクスロットに含まれる資源ブロックの数Ｎ^DLは、ダウンリンク送信帯域幅（ｂａｎｄｗｉｄｔｈ）に従属する。
【００５１】
アップリンクスロットの構造は、ダウンリンクスロットの構造と同一でありうる。
【００５２】
図３は、本発明が適用されることができる無線通信システムにおけるダウンリンクサブフレームの構造を示す。
【００５３】
図３に示すように、サブフレーム内の第１番目のスロットにおいて前の最大３個のＯＦＤＭシンボルは、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例にＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ    ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００５４】
ＰＣＦＩＣＨは、サブフレームの第１番目のＯＦＤＭシンボルにおいて送信され、サブフレーム内で制御チャネルの送信のために使用されるＯＦＤＭシンボルの数（すなわち、制御領域のサイズ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００５５】
ＰＤＣＣＨは、ＤＬ−ＳＣＨ（Ｄｏｗｎｌｉｎｋ  Ｓｈａｒｅｄ  Ｃｈａｎｎｅｌ）の資源割り当て及び送信フォーマット（これをダウンリンクグラントともいう）、ＵＬ−ＳＣＨ（Ｕｐｌｉｎｋ  Ｓｈａｒｅｄ  Ｃｈａｎｎｅｌ）の資源割り当て情報（これをアップリンクグラントともいう）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨから送信されるランダムアクセス応答（ｒａｎｄｏｍ  ａｃｃｅｓｓ  ｒｅｓｐｏｎｓｅ）のような上位層（ｕｐｐｅｒ−ｌａｙｅｒ）制御メッセージに対する資源割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは、制御領域内で送信されることができ、端末は、複数のＰＤＣＣＨをモニタリングできる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合から構成される。ＣＣＥは、無線チャネルの状態に応じる符号化率（ｃｏｄｉｎｇ  ｒａｔｅ）をＰＤＣＣＨに提供するために使用される論理的割り当て単位である。ＣＣＥは、複数の資源要素グループ（ｒｅｓｏｕｒｃｅ  ｅｌｅｍｅｎｔ  ｇｒｏｕｐ）に対応する。ＰＤＣＣＨのフォーマット及び使用可能なＰＤＣＣＨのビット数は、ＣＣＥの数とＣＣＥにより提供される符号化率間の関連関係によって決定される。
【００５６】
基地局は、端末に送信しようとするＤＣＩに応じてＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣには、ＰＤＣＣＨの所有者（ｏｗｎｅｒ）または用途に応じて、固有の識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有の識別子、例えばＣ−ＲＮＴＩ（Ｃｅｌｌ−ＲＮＴＩ）がＣＲＣにマスキングされることができる。またはページングメッセージのためのＰＤＣＣＨであれば、ページング指示識別子、例えばＰ−ＲＮＴＩ（Ｐａｇｉｎｇ−ＲＮＴＩ）がＣＲＣにマスキングされることができる。システム情報、さらに具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングされることができる。端末のランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００５７】
図４は、本発明が適用されることができる無線通信システムにおけるアップリンクサブフレームの構造を示す。
【００５８】
図４に示すように、アップリンクサブフレームは、周波数領域において制御領域とデータ領域とに分けられる。制御領域には、アップリンク制御情報を運ぶＰＵＣＣＨ（Ｐｈｙｓｉｃａｌ  Ｕｐｌｉｎｋ  ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００５９】
１つの端末に対するＰＵＣＣＨにはサブフレーム内に資源ブロック（ＲＢ）対が割り当てられる。ＲＢ対に属するＲＢは、２つのスロットのそれぞれにおいて異なる副搬送波を占める。これを、ＰＵＣＣＨに割り当てられたＲＢ対はスロット境界（slot boundary）で周波数ホッピング（frequency hopping）されるという。
【００６０】
より多くの通信機器がさらに大きい通信容量を要求するようになるにつれて既存のＲＡＴに比べて向上したモバイルブロードバンド（mobile broadband）通信の必要性が高くなっている。また、複数の機器及び物を接続していつでもどこでも様々なサービスを提供する大規模ＭＴＣ（massive MTC（Machine Type Communications）も次世代通信において考慮される主な問題の１つである。それだけでなく、次世代通信において信頼度（reliability）及び遅延（latency）に敏感なサービス／ＵＥを考慮した通信システムデザインが論議されている。このように、向上した移動広域通信（enhanced mobile broadband communication）、大規模ＭＴＣ（massive MTC）、ＵＲＬＬＣ（Ultra-Reliable and Low Latency Communication）などを考慮した次世代ＲＡＴの導入が論議されており、このような技術を「Ｎｅｗ ＲＡＴ」という。
【００６１】
自己完結型（Self-contained）サブフレーム構造
【００６２】
図５は、本発明が適用できる自己完結型サブフレーム構造を例示する。
【００６３】
ＴＤＤシステムにおいてデータ送信遅延を最小化するために、５世代Ｎｅｗ ＲＡＴでは図５に示すような自己完結型サブフレーム構造が考慮されている。図５において斜線領域はダウンリンク制御領域、黒色部分はアップリンク制御領域を示す。また、図５において表示無しの領域はダウンリンクデータ送信のために用いられることもでき、アップリンクデータ送信のために用いられることもできる。このような構造の特徴は、１つのサブフレーム内でＤＬ送信とＵＬ送信が順次行われることができるため、１つのサブフレーム内でＤＬデータを送り、ＵＬ ＡＣＫ／ＮＡＣＫを受けることができる。結果的に、データ送信エラーの発生時にデータの再送信までかかる時間が短縮され、これにより、最終データ伝達までの遅延を最小化することができる。
【００６４】
Ｎｅｗ ＲＡＴに基づいて動作するシステムにおいて、構成／設定可能な前記自己完結型サブフレーム構造の一例として、少なくとも次のような４種類のサブフレームタイプを考慮することができる。以下、各サブフレームタイプで存在する区間は時間順に列挙した。
【００６５】
１）ＤＬ制御区間＋ＤＬデータ区間＋ＧＰ（guard period）＋ＵＬ制御区間
【００６６】
２）ＤＬ制御区間＋ＤＬデータ区間
【００６７】
３）ＤＬ制御区間＋ＧＰ＋ＵＬデータ区間＋ＵＬ制御区間
【００６８】
４）ＤＬ制御区間＋ＧＰ＋ＵＬデータ区間
【００６９】
このような自己完結型サブフレーム構造において、基地局とＵＥが送信モードから受信モードに切り替えられる過程又は受信モードから送信モードに切り替えられる過程のための時間ギャップ（time gap）が必要である。このために、サブフレーム構造において、ＤＬからＵＬに切り替えられる時点のＯＦＤＭシンボルの一部がＧＰに設定され、このようなサブフレームタイプは「ｓｅｌｆ−ｃｏｎｔａｉｎｅｄ ＳＦ」ということができる。
【００７０】
アナログビームフォーミング（analog beamforming）
【００７１】
ミリメートル波 （Milli Meter Wave：ｍｍＷ）では、波長が短くなって同一面積に複数のアンテナの設置が可能となる。すなわち、３０ＧＨｚ帯域において波長は１ｃｍであり、５×５ｃｍのパネルに０．５ラムダ（波長）間隔で２次元配列形態で合計１００個のアンテナ要素（element）が設置できる。従って、ｍｍＷでは複数のアンテナ要素を用いてビームフォーミング（beamforming：ＢＦ）利得を向上させてカバレッジを増加させるか、スループット（throughput）を向上させようとする。
【００７２】
この場合は、アンテナ要素別に送信パワー及び位相調節ができるようにＴＸＲＵ（transceiver unit）を有すると、周波数資源別に独立的なビームフォーミングが可能である。しかしながら、約１００個のアンテナ要素の全てにＴＸＲＵを設置することにはコストの側面で実効性が低下するという問題がある。従って、１つのＴＸＲＵに複数のアンテナ要素をマッピングし、アナログ位相シフター（analog phase shifter）でビームの方向を調節する方式が考慮されている。このようなアナログビームフォーミング方式は全帯域において１つのビーム方向のみを生成できるため、周波数選択的ビームフォーミングができないという欠点がある。
【００７３】
デジタルＢＦとアナログＢＦの中間形態でＱ個のアンテナ要素より少ない個数のＢ個のＴＸＲＵを有するハイブリッド（hybrid）ＢＦも考慮することができる。この場合、Ｂ個のＴＸＲＵとＱ個のアンテナ要素の接続方式によって違いはあるが、同時に送信できるビームの方向はＢ個以下に制限される。
【００７４】
図６及び図７は、ＴＸＲＵとアンテナ要素の代表的な接続方式を示す。より詳細には、図６は、第１ＴＸＲＵ仮想化モデルオプションであるサブアレイパーティションモデルを例示し、図７は、第２ＴＸＲＵ仮想化モデルオプションであるプール−コネクションモデルを例示する。図６及び図７において、ＴＸＲＵ仮想化モデルは、ＴＸＲＵの出力信号とアンテナ要素の出力信号間の関係を示す。
【００７５】
図６に示すように、ＴＸＲＵがサブアレイに接続される仮想化モデルの場合、アンテナ要素は１つのＴＸＲＵにのみ接続される。これとは異なり、ＴＸＲＵが全てのアンテナ要素に接続される仮想化モデルの場合、アンテナ要素は全てのＴＸＲＵに接続される。本図において、Ｗはアナログ位相シフターにより乗算される位相ベクトルを示す。すなわち、Ｗによりアナログビームフォーミング方向が決定される。ここで、ＣＳＩ−ＲＳアンテナポートとＴＸＲＵとのマッピングは、１対１（1 to 1, 1:1）又は一対多（1 to many, 1:N）でありうる。
【００７６】
参照信号（ＲＳ：Ｒｅｆｅｒｅｎｃｅ  Ｓｉｇｎａｌ）
【００７７】
無線通信システムにおけるデータは無線チャンネルを介して転送されるので、信号は転送中に歪むことがある。受信端で歪んだ信号を正確に受信するために、受信された信号の歪みはチャンネル情報を用いて補正されなければならない。チャンネル情報を検出するために送信側と受信側の両方とも知っている信号転送方法と信号がチャンネルを介して転送される時、歪んだ程度を用いてチャンネル情報を検出する方法を主に用いる。前述した信号をパイロット信号または参照信号（ＲＳ：ｒｅｆｅｒｅｎｃｅ  ｓｉｇｎａｌ）という。
【００７８】
また、最近、大部分の移動通信システムでパケットを転送する時、今まで１つの送信アンテナと１つの受信アンテナを使用したことから脱皮して、複数の送信アンテナと複数の受信アンテナを採用して送受信データ効率を向上させることができる方法を使用する。複数の入出力アンテナを用いてデータを送受信する時、信号を正確に受信するために送信アンテナと受信アンテナとの間のチャンネル状態が検出されなければならない。したがって、各送信アンテナは個別的な参照信号を有しなければならない。
【００７９】
移動通信システムにおけるＲＳはその目的によって２つに大別できる。チャンネル状態情報獲得のための目的のＲＳとデータ復調のために使われるＲＳがある。前者はＵＥがダウンリンクへのチャンネル状態情報を獲得することにその目的があるので、広帯域に転送されなければならず、特定サブフレームでダウンリンクデータを受信しないＵＥでもそのＲＳを受信し測定できなければならない。また、これはハンドオーバーなどの無線資源管理（ＲＲＭ：Ｒａｄｉｏ  Ｒｅｓｏｕｒｃｅ  Ｍａｎａｇｅｍｅｎｔ）測定などのためにも使われる。後者は、基地局がダウンリンクを送る時、該当リソースに共に送るＲＳであって、ＵＥは該当ＲＳを受信することによってチャンネル推定を行うことができ、したがって、データを復調できるようになる。このＲＳはデータが転送される領域に転送されなければならない。
【００８０】
下り参照信号はセル内の全ての端末が共有するチャンネル状態に対する情報獲得及びハンドオーバーの測定などのための１つの共通参照信号（ＣＲＳ：ｃｏｍｍｏｎ  ＲＳ）と特定端末のみのためにデータ復調のために使われる専用参照信号（ｄｅｄｉｃａｔｅｄ  ＲＳ）がある。このような参照信号を用いて復調（ｄｅｍｏｄｕｌａｔｉｏｎ）とチャンネル測定（ｃｈａｎｎｅｌ  ｍｅａｓｕｒｅｍｅｎｔ）のための情報を提供することができる。すなわち、ＤＲＳはデータ復調用のみに使われ、ＣＲＳはチャンネル情報獲得及びデータ復調の２つの目的に全て使われる。
【００８１】
受信側（すなわち、端末）はＣＲＳからチャネル状態を測定し、ＣＱＩ（Channel Quality Indicator）、ＰＭＩ（Precoding Matrix Index）及び／又はＲＩ（Rank Indicator）などのチャネル品質に関連したインジケータを送信側（すなわち、基地局）にフィードバックする。ＣＲＳは、セル固有参照信号（cell-specific RS）ともいう。それに対して、チャネル状態情報（ＣＳＩ: Channel State Information）のフィードバックに関連した参照信号をＣＳＩ−ＲＳと定義することができる。
【００８２】
３ＧＰＰ ＬＴＥ（−Ａ）システムにおいては、ＵＥがＣＳＩを基地局（ＢＳ）に報告するように定義されており、ここで、ＣＳＩは、ＵＥとアンテナポートとの間に形成される無線チャネル（又は、リンクともいう）の品質を示す情報を総称する。例えば、ランクインジケータ（rank indicator：ＲＩ）、プリコーディング行列インジケータ（precoding matrix indicator：ＰＭＩ）、及び／又はチャネル品質インジケータ（channel quality indicator：ＣＱＩ）などがＣＳＩに該当する。ここで、ＲＩは、チャネルのランク（rank）情報を示し、これは、ＵＥが同一時間−周波数資源を通じて受信するストリームの数を意味する。ＲＩは、チャネルのロングターム（long-term）フェージング（fading）により従属して決定されるので、通常はＰＭＩ、ＣＱＩよりさらに長い周期でＵＥから基地局にフィードバックされることができる。ＰＭＩは、チャネル空間特性を反映した値であり、ＳＩＮＲなどのメトリック（metric）を基準にＵＥが好むプリコーディングインデックスを示す。ＣＱＩは、チャネルの強度を示す値であり、一般的に基地局がＰＭＩを用いたときに得られる受信ＳＩＮＲを意味する。
【００８３】
３ＧＰＰ ＬＴＥ（−Ａ）システムにおいて、基地局は複数のＣＳＩプロセスをＵＥに設定し、各プロセスに対するＣＳＩの報告を受けることができる。ここで、ＣＳＩプロセスは、基地局からの信号品質測定のためのＣＳＩ−ＲＳと干渉測定のためのＣＳＩ−ＩＭ（CSI-interference measurement）資源を含むことができる。
【００８４】
ＤＲＳは、ＰＤＳＣＨ上のデータ復調が必要である場合、資源要素を通じて送信されることができる。端末は上位層を介してＤＲＳが存在するか否かを受信することができ、対応するＰＤＳＣＨがマッピングされたときにのみ有効である。ＤＲＳを端末固有参照信号（UE-specific RS）又は復調参照信号（ＤＭＲＳ: Demodulation RS）ということができる。
【００８５】
図８は、本発明が適用できる無線通信システムにおいてダウンリンク資源ブロック対にマッピングされた参照信号パターンを例示する。
【００８６】
図８に示すように、参照信号がマッピングされる単位でダウンリンク資源ブロック対は時間領域において１つのサブフレーム×周波数領域において１２個の副搬送波で示すことができる。すなわち、時間軸（ｘ軸）上で１つの資源ブロック対は、ノーマル巡回プレフィックス（normal CP（Cyclic Prefix））である場合は１４個のＯＦＤＭシンボルの長さを有し（図７ａの場合）、拡張巡回プレフィックス（extended CP）である場合は１２個のＯＦＤＭシンボルの長さを有する（図７ｂの場合）。資源ブロック格子において「０」、「１」、「２」及び「３」と記載されている資源要素（REs）はそれぞれアンテナポートインデックス「０」、「１」、「２」及び「３」のＣＲＳの位置を意味し、「Ｄ」と記載されている資源要素はＤＲＳの位置を意味する。
【００８７】
基地局が単一の送信アンテナを使用する場合、単一アンテナポートのための参照信号が配列される。
【００８８】
基地局が２個の送信アンテナを使用する場合、２個の送信アンテナポートのための参照信号は時分割多重化（ＴＤＭ：Ｔｉｍｅ  Ｄｉｖｉｓｉｏｎ  Ｍｕｌｔｉｐｌｅｘｉｎｇ）及び／又は周波数分割多重化（ＦＤＭ  Ｆｒｅｑｕｅｎｃｙ  Ｄｉｖｉｓｉｏｎ  Ｍｕｌｔｉｐｌｅｘｉｎｇ）方式を用いて配列される。すなわち、２個のアンテナポートのための参照信号は各々が区別されるために互いに異なる時間資源及び／又は互いに異なる周波数資源が割り当てられる。
【００８９】
なお、基地局が４個の送信アンテナを使用する場合、４個の送信アンテナポートのための参照信号はＴＤＭ及び／又はＦＤＭ方式を用いて配列される。ダウンリンク信号の受信側（端末）により測定されたチャンネル情報は、単一の送信アンテナ転送、送信ダイバーシティ、閉ループ空間多重化（ｃｌｏｓｅｄ−ｌｏｏｐ  ｓｐａｔｉａｌ  ｍｕｌｔｉｐｌｅｘｉｎｇ）、開ループ空間多重化（ｏｐｅｎ−ｌｏｏｐ  ｓｐａｔｉａｌ  ｍｕｌｔｉｐｌｅｘｉｎｇ）、またはマルチユーザＭＩＭＯ（ｍｕｌｔｉ−Ｕｓｅｒ  ＭＩＭＯ）のような転送方式を用いて転送されたデータを復調するために使われることができる。
【００９０】
複数の入出力アンテナが支援される場合、参照信号が特定のアンテナポートから転送される時、前記参照信号は参照信号のパターンによって特定された資源要素の位置に転送され、異なるアンテナポートのために特定された資源要素の位置に転送されない。すなわち、互いに異なるアンテナ間の参照信号は互いに重ならない。
【００９１】
ＬＴＥシステムの進化発展した形態のＬＴＥ−Ａシステムで基地局のダウンリンクに最大８個の送信アンテナが支援できるようにデザインされなければならない。したがって、最大８個の送信アンテナに対するＲＳも支援されなければならない。ＬＴＥシステムでダウンリンクＲＳは最大４個のアンテナポートに対するＲＳのみ定義されているので、ＬＴＥ−Ａシステムで基地局が４個以上最大８個のダウンリンク送信アンテナを有する場合、これらアンテナポートに対するＲＳが追加的に定義されデザインされなければならない。最大８個の送信アンテナポートに対するＲＳは、前述したチャンネル測定のためのＲＳとデータ復調のためのＲＳの２つが全てデザインされなければならない。
【００９２】
ＬＴＥ−Ａシステムをデザインするに当たって、重要な考慮事項のうちの１つは、下位互換性（ｂａｃｋｗａｒｄ  ｃｏｍｐａｔｉｂｉｌｉｔｙ）、すなわちＬＴＥ端末がＬＴＥ−Ａシステムでも何の無理なく、よく動作しなければならず、システムもこれを支援しなければならないことである。ＲＳ転送の観点から見ると、ＬＴＥで定義されているＣＲＳが全帯域にサブフレーム毎に転送される時間−周波数領域で追加的に最大８個の送信アンテナポートに対するＲＳが追加的に定義されなければならない。ＬＴＥ−Ａシステムで既存ＬＴＥのＣＲＳのような方式により最大８個の送信アンテナに対するＲＳパターンをサブフレーム毎に全帯域に追加するようになれば、ＲＳオーバーヘッドが大きすぎるようになる。
【００９３】
したがって、ＬＴＥ−Ａシステムで新しくデザインされるＲＳは２つに大別されるが、ＭＣＳ、ＰＭＩなどの選択のためのチャンネル測定目的のＲＳ（ＣＳＩ−ＲＳ：Ｃｈａｎｎｅｌ  Ｓｔａｔｅ  Ｉｎｆｏｒｍａｔｉｏｎ−ＲＳ、Ｃｈａｎｎｅｌ  Ｓｔａｔｅ  Ｉｎｄｉｃａｔｉｏｎ−ＲＳなど）と８個の転送アンテナに転送されるデータ復調のためのＲＳ（ＤＭ−ＲＳ：Ｄａｔａ  Ｄｅｍｏｄｕｌａｔｉｏｎ−ＲＳ）である。
【００９４】
チャンネル測定目的のＣＳＩ−ＲＳは既存のＣＲＳがチャンネル測定、ハンドオーバーなどの測定などの目的と共に、データ復調のために使われることとは異なり、チャンネル測定中心の目的のためにデザインされる特徴がある。勿論これもまたハンドオーバーなどの測定などの目的に使われることもできる。ＣＳＩ−ＲＳがチャンネル状態に対する情報を得る目的のみに転送されるので、ＣＲＳとは異なり、サブフレーム毎に転送されなくてもよい。ＣＳＩ−ＲＳのオーバーヘッドを減らすためにＣＳＩ−ＲＳは時間軸上で間歇的に転送される。
【００９５】
ＬＴＥ−Ａシステムで基地局のダウンリンクに最大８個の送信アンテナを支援する。ＬＴＥ−Ａシステムで既存ＬＴＥのＣＲＳのような方式により最大８個の送信アンテナに対するＲＳをサブフレーム毎に全帯域に転送するようになれば、ＲＳオーバーヘッドが大きすぎるようになる。したがって、ＬＴＥ−Ａシステムでは、ＭＣＳ、ＰＭＩなどの選択のためのＣＳＩ測定目的のＣＳＩ−ＲＳとデータ復調のためのＤＭ−ＲＳに分離されて２つのＲＳが追加された。ＣＳＩ−ＲＳはＲＲＭ測定などの目的に使われることもできるが、ＣＳＩ獲得の主目的のためにデザインされた。ＣＳＩ−ＲＳはデータ復調に使われないので、サブフレーム毎に転送される必要はない。したがって、ＣＳＩ−ＲＳのオーバーヘッドを減らすために時間軸上で間歇的に転送するようにする。すなわち、ＣＳＩ−ＲＳは１サブフレームの整数倍の周期で周期的に転送されるか、または特定転送パターンに転送できる。この際、ＣＳＩ−ＲＳが転送される周期やパターンはｅＮＢが設定することができる。
【００９６】
ＣＳＩ−ＲＳを測定するためにＵＥは必ず自身が属したセルの各々のＣＳＩ−ＲＳアンテナポートに対するＣＳＩ−ＲＳの転送サブフレームインデックス、転送サブフレーム内のＣＳＩ−ＲＳ資源要素（ＲＥ）時間−周波数の位置、そしてＣＳＩ−ＲＳシーケンスなどに対する情報を知っていなければならない。
【００９７】
ＬＴＥ−ＡシステムでｅＮＢはＣＳＩ−ＲＳを最大８個のアンテナポートに対して各々転送しなければならない。互いに異なるアンテナポートのＣＳＩ−ＲＳ転送のために使われる資源は互いに直交（ｏｒｔｈｏｇｏｎａｌ）しなければならない。１つのｅＮＢが互いに異なるアンテナポートに対するＣＳＩ−ＲＳを転送する時、各々のアンテナポートに対するＣＳＩ−ＲＳを互いに異なるＲＥにマッピングすることによって、ＦＤＭ／ＴＤＭ方式によりこれらの資源を直交（ｏｒｔｈｏｇｏｎａｌ）に割り当てることができる。または、互いに異なるアンテナポートに対するＣＳＩ−ＲＳを互いに直交（ｏｒｔｈｏｇｏｎａｌ）したコードにマッピングさせるＤＭ方式により転送することができる。
【００９８】
ＣＳＩ−ＲＳに関する情報をｅＮＢが自分のセルＵＥに知らせる時、まず各アンテナポートに対するＣＳＩ−ＲＳがマッピングされる時間−周波数に対する情報を知らせなければならない。具体的に、ＣＳＩ−ＲＳが転送されるサブフレーム番号、またはＣＳＩ−ＲＳが転送される周期、ＣＳＩ−ＲＳが転送されるサブフレームオフセットであり、特定アンテナのＣＳＩ−ＲＳ  ＲＥが転送されるＯＦＤＭシンボル番号、周波数間隔（ｓｐａｃｉｎｇ）、周波数軸でのＲＥのオフセット、またはシフト値などがある。
【００９９】
ＣＳＩ−ＲＳは１個、２個、４個、または８個のアンテナポートを介して転送される。この際、使われるアンテナポートは、各々ｐ＝１５、ｐ＝１５、１６、ｐ＝１５，．．．，１８、ｐ＝１５，．．．，２２である。ＣＳＩ−ＲＳはサブキャリア間隔Δｆ＝１５ｋＨｚに対してのみ定義できる。
【０１００】
ＲＳ仮想化（Virtualization）
【０１０１】
ｍｍＷにおいてアナログビームフォーミングにより一時点で１つのアナログビーム方向にのみＰＤＳＣＨ送信が可能である。その結果、該当方向にある一部の少数のＵＥにのみ基地局からデータ送信が可能となる。従って、必要によってアンテナポート別にアナログビーム方向が異なるように設定して様々なアナログビーム方向にある複数のＵＥに同時にデータ送信を行うことができる。
【０１０２】
以下では、２５６個のアンテナ要素を４等分して４つのサブアレイを形成し、図９に示すように、サブアレイにＴＸＲＵを接続した構造の例示を中心に説明する。
【０１０３】
図９は、ＴＸＲＵ別のサービス領域を例示した図である。
【０１０４】
各サブアレイが２次元（2-dimension）配列形態で合計６４（８×８）のアンテナ要素から構成されると、特定アナログビームフォーミングにより１５度の水平角領域と１５度の垂直角領域に該当する地域をカバーすることができる。すなわち、基地局がサービスしなければならない地域を複数の領域に分けて、一度に１つずつサービスできるようにする。以下の説明において、ＣＳＩ−ＲＳアンテナポートとＴＸＲＵは１対１（1-to-1）マッピングされたと仮定する。従って、以下ではアンテナポートとＴＸＲＵは実質的に同一の意味を有する。
【０１０５】
図９（ａ）の例示のように、全てのＴＸＲＵ（アンテナポート、サブアレイ）が同一のアナログビームフォーミング方向を有すると、より高いレゾリューション（resolution）を有するデジタルビーム（digital beam）を形成して該当地域のスループットを増加させることができる。また、該当地域に送信データのランクを増加させて該当地域のスループットを増加させることができる。
【０１０６】
図９（ｂ）に示すように、各ＴＸＲＵ（アンテナポート、サブアレイ）が異なるアナログビームフォーミング方向を有すると、より広い領域に分布したＵＥに該当サブフレーム（ＳＦ）で同時にデータ送信が可能となる。例えば、４つのアンテナポートのうち２つは領域１にあるＵＥ１へＰＤＳＣＨ送信を行うために用い、残り２つは領域２にあるＵＥ２へＰＤＳＣＨ送信を行うために用いることができる。
【０１０７】
図９（ｂ）においては、ＵＥ１に送信されるＰＤＳＣＨ１とＵＥ２に送信されるＰＤＳＣＨ２がＳＤＭ（Spatial Division Multiplexing）された例を示す。これとは異なり、図９（ｃ）においては、ＵＥ１に送信されるＰＤＳＣＨ１とＵＥ２に送信されるＰＤＳＣＨ２がＦＤＭ（Frequency Division Multiplexing）された例を示す。
【０１０８】
全てのアンテナポートを用いて一領域をサービスする方式と、アンテナポートを分けて複数の領域を同時にサービスする方式のうち、セルスループットを最大化するために、ＵＥにサービスするランク及びＭＣＳによって好まれる方式が変更できる。また、各ＵＥに送信するデータの量によって好まれる方式が変更できる。
【０１０９】
基地局は、全てのアンテナポートを用いて一領域をサービスするときに得られるセルスループット又はスケジューリングメトリックを計算し、アンテナポートを分けて二領域をサービスするときに得られるセルスループット又はスケジューリングメトリックを計算する。基地局は、各方式で得られるセルスループット又はスケジューリングメトリックを比較して最終送信方式を選択する。その結果、ＳＦ別に（SF-by-SF）にＰＤＳＣＨ送信に参加するアンテナポートの数が変動することができる。基地局がアンテナポートの数に応じるＰＤＳＣＨの送信ＭＣＳを計算してスケジューリングアルゴリズムに反映するために、これに適合するＵＥからのＣＳＩフィードバックが要求されることができる。
【０１１０】
ビーム参照信号（Beam reference signal：ＢＲＳ）及びビーム改良参照信号（Beam refinement reference signal：ＢＲＲＳ）
【０１１１】
ＢＲＳは、少なくとも１つのアンテナポートｐ＝｛０、１、…、７｝で送信されることができる。ＢＲＳシーケンス
0006989617.tif 000004
は、以下の数１のように定義されることができる。
【０１１２】
【数１】
0006989617.tif 000005
【０１１３】
数１において、
0006989617.tif 000006
＝０、１、…、１３は、ＯＦＤＭシンボルナンバーを示す。また、ｃ（ｉ）は疑似ランダム（pseudo-random）シーケンス生成器（generator）を示し、各ＯＦＤＭシンボルの開始地点で数２により初期化されることができる。
【０１１４】
【数２】
0006989617.tif 000007
,
0006989617.tif 000008
, 
0006989617.tif 000009
【０１１５】
ＢＲＲＳは、最大８つのアンテナポートｐ＝６００、…、６０７で送信することができる。ＢＲＲＳの送信及び受信は、ｘＰＤＣＣＨでのダウンリンクリソース割り当てで動的にスケジューリングされることができる。
【０１１６】
ＢＲＲＳシーケンス
0006989617.tif 000010
は、以下の数３のように定義されることができる。
【０１１７】
【数３】
0006989617.tif 000011
【０１１８】
数３において、ｎ＿ｓは無線フレーム内のスロットナンバーを示し、ｌは前記スロット内のＯＦＤＭシンボルナンバー、ｃ（ｎ）は疑似ランダムシーケンスを示す。前記疑似ランダムシーケンス生成器は、各ＯＦＤＭシンボルの開始地点で数４により初期化されることができる。
【０１１９】
【数４】
0006989617.tif 000012
【０１２０】
数４において、
0006989617.tif 000013
は、ＲＲＣ（Radio Resource Control）シグナリングを通じてＵＥに設定される。
【０１２１】
ＢＲＳは、サブフレーム毎に送信されることができ、ポート別に異なるアナログビーム方向に送信されることができる。このようなＢＲＳは、基地局がＵＥに対するおおよそのアナログビーム方向を決定するのに用いられる。ＢＲＳに基づいてＵＥに対するおおよそのアナログビーム方向が決定されると、基地局は決定されたアナログビーム方向範囲内でより精密な／細かいアナログビーム方向別にＢＲＲＳを送信してＵＥに対するより精密なアナログビーム方向を決定することができる。
【０１２２】
このように、ＵＥに対するアナログビーム方向を決定するのに用いられる参照信号に対する名称は、前述したＢＲＳ又はＢＲＲＳに限定されず、同一の機能を実行するのに使用可能な様々な参照信号で代替できる／呼ばれ得ることは言うまでもない。例えば、ＢＲＳは、プライマリ／ファースト（primary/first）ＣＳＩ−ＲＳ、ＰＳＳ（Primary synchronization signal/sequence）、ＳＳＳ（Secondary synchronization signal/sequence）、ＳＳ（Synchronization Signal/Sequence）ｂｌｏｃｋ、ＮＲ−ＰＳＳ、及び／又はＮＲ−ＳＳＳで代替され／と呼ばれ得るものであり、ＢＲＲＳは、セカンダリ／セカンド（secondary/second）ＣＳＩ−ＲＳで代替され／と呼ばれ得る。
【０１２３】
ダウンリンク位相ノイズ補償参照信号（DL Phase noise compensation reference signal：ＤＬ ＰＣＲＳ）
【０１２４】
ｘＰＤＳＣＨに連係されたＰＣＲＳは、ＤＣＩフォーマットでシグナリングされるようにアンテナポートＰ＝６０又はＰ＝６１で送信されることができる。ｘＰＤＳＣＨ送信が対応するアンテナポートと連係された場合にのみＰＣＲＳが存在し、このときのＰＣＲＳは位相ノイズ補償に対する有効な参照となることができる。ＰＣＲＳは、対応するｘＰＤＳＣＨがマッピングされた物理資源ブロック及びシンボルでのみ送信されることができる。ＰＣＲＳは、ｘＰＤＳＣＨ割り当てに対応する全てのシンボルで同一でありうる。
【０１２５】
アンテナポートｐ＝６０、６１のうちどちらのポートに対しても、ＰＣＲＳシーケンスｒ（ｍ）は数５のように定義されることができる。
【０１２６】
【数５】
0006989617.tif 000014
【０１２７】
数５において、ｃ（ｉ）は疑似ランダムシーケンスを示す。前記疑似ランダムシーケンス生成器は、各サブフレームの開始地点で数６により初期化されることができる。
【０１２８】
【数６】
0006989617.tif 000015
【０１２９】
数６において
0006989617.tif 000016
はｉ＝０、１であるときに以下のように決定される。
【０１３０】
−もし、
0006989617.tif 000017
に対する値が上位層により提供されない場合、
0006989617.tif 000018
【０１３１】
−それ以外に、
0006989617.tif 000019
【０１３２】
ｎ＿ＳＣＩＤ値は、特別に決定されないと、０に設定されることができる。ｘＰＤＳＣＨ送信において、ｎ＿ＳＣＩＤはｘＰＤＳＣＨ送信に連係されたＤＣＩフォーマットにより与えられることができる。
【０１３３】
２Ｄ（dimension）−ＡＡＳ（Active Antenna System）を用いた３Ｄ ＭＩＭＯシステム
【０１３４】
図１０は、本発明の一実施形態による２Ｄ ＡＡＳを用いた３Ｄ ＭＩＭＯシステムを例示した図である。
【０１３５】
ＬＴＥ標準（Ｒｅｌ−１２）に基づいて図１０のような単一セル２Ｄ−ＡＡＳ基地局に適合する最適な送信方式として、次の方式を考慮することができる。
【０１３６】
図１０に示すような８−ｂｙ−８のアンテナアレイを用いてＣＳＩ−ＲＳポートを構成する一例として、縦に配列された８つのアンテナ単位で特定ターゲットＵＥに最適化された「ＵＥ専用（UE-dedicated）ビーム係数」が適用されたプリコーディングされた（precoded）ＣＳＩ−ＲＳポートが１つずつ構成されることにより、横に合計８ポート（垂直方向にプリコーディングされた(vertically precoded)）ＣＳＩ−ＲＳが構成／設定／送信されることができる。この場合、端末は、このようなＣＳＩ−ＲＳに対して従来のような８ポートＣＳＩフィードバックを行う。つまり、これにより個別端末（又は、特定端末グループ）に最適化された垂直方向ビーム利得が適用された（プリコーディングされた）８ポートＣＳＩ−ＲＳが送信され、無線チャネルを体験した後、端末により測定される。従って、端末は、従来の水平方向コードブックによる同一のフィードバック方式を行っても、前記（垂直方向にプリコーディングされた(vertically precoded)）ＣＳＩ−ＲＳに対するＣＳＩ測定及び報告動作により既に無線チャネルの垂直方向ビーム利得効果を得ることができる。ここで、個別端末に最適化された垂直方向ビームを決定するための方法としては、（垂直方向にプリコーディングされた）スモールセル探索ＲＳ（discovery RS：ＤＲＳ）によるＲＲＭ報告結果に応じた方法、端末のｓｏｕｎｄｉｎｇ ＲＳ（ＳＲＳ）を基地局が最適な受信ビーム方向に受信し、このビーム方向をｃｈａｎｎｅｌ ｒｅｃｉｐｒｏｃｉｔｙ（チャネル相互関係）によりＤＬ最適ビーム方向に変換して適用する方法などが適用される。
【０１３７】
もし、端末の移動性などにより、ＵＥ専用最適（best）Ｖ−ビーム方向が変更されたと（基地局端で）判断されるとき、従来の動作によると、ＣＳＩ−ＲＳ及び関連ＣＳＩ手順などのＲＲＣ設定が全て再設定（re-configure）されなければならない。この場合、ＲＲＣ再設定過程に伴うＲＲＣレベルの遅延（例えば、数十〜数百ｍｓ単位）の発生が避けられない。例えば、ネットワーク次元では事前にターゲットＶ−ビーム方向を４つに分割し、それぞれに対するＶ−方向プリコーディングが適用された別途の８ポートＣＳＩ−ＲＳを別途の送信資源位置で送信し、各ＵＥは、このうち特定１つのＣＳＩ−ＲＳ資源に対してＣＳＩ測定及び報告を行う。従って、ターゲットＶ−ビーム方向が変更されると、ネットワークは変更されるＣＳＩ−ＲＳ設定にＲＲＣ再設定を行うしかない。
【０１３８】
ＲＲＣレベル遅延をなくすか、大幅に減らすための案として、ＵＥに単一ＣＳＩ手順及び単一ＵＬフィードバック資源のみを割り当てておき、測定対象となるＣＳＩ−ＲＳインデックス（及び／又は、ＣＳＩ−ＩＭインデックス）が何であるかをＭＡＣ（Media Access Control）レベル（又は、ＤＣＩレベル）で指示する方式及びそれと関連した多様な技術が提案されている。すなわち、基地局は、端末にＲＲＣレベルで複数の候補ＣＳＩ−ＲＳを設定し、このうちどのＣＳＩ−ＲＳが「活性化（activate）」されるかを（ＭＡＣレベルで又はＤＣＩレベルで）通知することができる。このとき、例えば、活性化されたＣＳＩ−ＲＳをＣＳＩ−ＲＳ１からＣＳＩ−ＲＳ２に変更するか否かが考慮される状況であれば、基地局は、実際ＣＳＩ−ＲＳ２に対する再活性化命令をする前、端末がＣＳＩ−ＲＳ２に対する「トラッキング」を予め行っていることができるように一種の「事前活性化（pre-activate）」をまず指示することができる。すなわち、事前活性化されたＣＳＩ−ＲＳｘ（ｘは自然数）は（特定「タイマー」時間内で）実際に活性化されることもでき、活性化されないこともできる。端末は、最終的に活性化指示メッセージを受信した後、特定ｙ ｍｓ（ｙは整数）以後にＣＳＩ報告を開始することができる。
【０１３９】
より具体的には、端末は、まず事前に（例えば、初期接続時に）次のような能力関連コンテンツのうち少なくとも１つを自分の能力情報として能力（capability）シグナリングを通じて基地局に通知することができる：
【０１４０】
１．全体活性化（設定）（full activation(configuration)）可能なＣＳＩ−ＲＳの（最大）個数（Ｎｃ個）、ＣＳＩ−ＩＭの（最大）個数（Ｎｉ個）、及び／又はＣＳＩ−ＲＳ手順の（最大）個数（Ｎｐ個）に関する情報
【０１４１】
ここで、「全体活性化（設定）可能」という意味は、端末の能力情報が指示する最大個数まで基地局に端末に「同時に」活性化／設定可能であることを意味する。例えば、Ｎｃ＝３, Ｎｉ＝３, Ｎｐ＝４に設定された能力情報を有する端末に対して、基地局は、合計３個のＣＳＩ−ＲＳ（Ｎｃ＝３）、３個のＣＳＩ−ＩＭ（Ｎｉ＝３）、４個のＣＳＩ手順（Ｎｐ＝４）を全て該当端末に対して同時に設定することができる。この場合、端末は、３個のＣＳＩ−ＲＳに対して全てチャネル測定を行わなければならず、３個のＣＳＩ−ＩＭに対して全て干渉測定しなければならず、４個のＣＳＩ手順に対するＣＳＩフィードバックを全て行わなければならない。ここで、従来のＲｅｌ−１１標準でのＣｏＭＰ動作が全て支援可能である。
【０１４２】
２．同時に部分活性化（設定）（partial activation(configuration)）可能なＣＳＩ−ＲＳの（最大）個数（Ｎｃ’個）、ＣＳＩ−ＩＭの（最大）個数（Ｎｉ’個）、及び／又はＣＳＩ手順の（最大）個数（Ｎｐ’個）に関する情報
【０１４３】
ここで、「部分活性化（設定）」の意味は、「全体活性化（設定）」時に端末が実行できる動作のうち特定の一部動作（例えば、ＣＳＩ−ＲＳトラッキング）のみに限定された活性化／設定を意味するか、そして／またはそれ以外に別途の追加動作の活性化／設定を意味することができる。
【０１４４】
例えば、特定端末は１番におけるパラメータ（すなわち、全体活性化(設定)可能なパラメータ）はＮｃ＝１, Ｎｉ＝１, Ｎｐ＝１に設定されると同時に、２番におけるパラメータ（すなわち、部分活性化(設定)可能なパラメータ）はＮｃ’＝３、Ｎｉ’＝１、Ｎｐ’＝１でありうる。これは、１番と２番のパラメータ間にＣＳＩ−ＲＳ個数（Ｎｃ＝１とＮｃ’＝３）の側面でのみ差を示す場合の例示である。このような例示は、つまり、端末は、Ｎｃ’＝３個の「部分活性化（設定）」されたＣＳＩ−ＲＳに対する時間／周波数同期化／トラッキングの実行は維持した中で、このうち、特定Ｎｃ＝１個の「全体活性化（設定）」されるＣＳＩ−ＲＳの指定を受けることができることを意味する。端末は、Ｎｃ＝１個のＣＳＩ−ＲＳをＭＡＣ ＣＥ命令などを通じてＭＡＣ層で指示を受けるか、又はＤＣＩシグナリングを通じてＰＨＹ（Physical）層でよりダイナミックに指示を受けることができる。
【０１４５】
このような動作により、前述した問題／制限点（ＣＳＩ−ＲＳ再設定のためのＲＲＣ遅延）を解決することができる。すなわち、このような実施形態／動作に従うとき、端末は、単一Ｎｐ＝Ｎｐ’＝１個のＣＳＩ手順に対する（特定ＣＣで）単一ＣＳＩフィードバックのみを行えばよいので、ＣＳＩフィードバック複雑度及びオーバーヘッドは常に同一に維持され、端末が測定しなければならないＣＳＩ−ＲＳインデックスのみを基地局がＭＡＣ又はＰＨＹ層シグナリングを通じてダイナミックスイッチングすることができるという利点がある。すなわち、ＲＲＣシグナリングによるＣＳＩ−ＲＳ再設定のためのＲＲＣ遅延より小さい遅延を有するシグナリングにより、測定対象となる資源のみが簡単にスイッチングされることができる。本明細書においては、説明の便宜上、ＣＳＩ−ＲＳを中心に説明しているが、これらに限定されるものではなく、ＣＳＩ−ＩＭインデックス（又はＣＳＩ手順インデックス）をダイナミックスイッチングする実施形態に同一に拡張適用できることは言うまでもない。
【０１４６】
前述した実施形態において、パラメータ間サイズに対して次のような形式の追加的な制限／条件が存在することもある。このような制限／条件が存在する場合、端末は、このような制限／条件を満たす限度内で能力情報をシグナリングして基地局に送信しなければならない。
【０１４７】
−Ｎｃ＜＝Ｎｃ’、Ｎｉ＜＝Ｎｉ’、及び／又はＮｐ＜＝Ｎｐ’
【０１４８】
端末から上記のような能力シグナリングを受信した基地局は、今後該当端末を設定するときに端末の能力特性の組み合わせに反しない形態でＲＲＣシグナリングを提供しなければならない。従って、端末は、能力特性の組み合わせに反する形態の設定／ＲＲＣシグナリングを対して期待せず、反する形態の設定／ＲＲＣシグナリングはエラーケースとみなすことができる。
【０１４９】
上記例示された端末の場合、基地局からＮｃ’＝３に該当する３個のＣＳＩ−ＲＳのＲＲＣ設定を全て受けることができ、各ＣＳＩ−ＲＳ（インデックス）別に「部分活性化（設定）」されているか否かを識別／指示する別途の識別子又は（暗示的／明示的）指示が含まれた（ＲＲＣ）シグナリングを受信することもできる。端末は、このような（ＲＲＣ）シグナリングを受信した時点から該当３個のＣＳＩ−ＲＳに対してそれぞれ時間／周波数同期化／トラッキングを行うことができる。このとき、端末は、各ＣＳＩ−ＲＳ設定に含まれているＱＣＬ（quasi co-location）仮定を適用するように指示された特定ＲＳ（例えば、ＣＲＳ）などの情報に基づいて時間／周波数同期化／トラッキングを行うことができる。このとき、端末は、Ｎｃ’＝Ｎ個（例えば、Ｎ＝３）のＣＳＩ−ＲＳのうちＮｃ＝ｎ個（ｎ＜Ｎ）（例えば、ｎ＝１）の特定ＣＳＩ−ＲＳのみが「全体活性化（設定）」されることを識別／指示する別途の識別子／インジケータの設定／指示を追加に（又は同時に）受けることができる。または、暗示的にこのようなＮｃ＝ｎ個（例えば、ｎ＝１）の特定ＣＳＩ−ＲＳは、常に最も低い（又は最も高い）インデックスから昇順に（又は降順に）ｎ個のＣＳＩ−ＲＳに規定されるなど、特定インデックスを有するＣＳＩ−ＲＳに標準上に規定されることもできる。そうすると、端末は、このようなＮｃ＝ｎ個（例えば、ｎ＝１）の全体活性化（設定）された特定ＣＳＩ−ＲＳに対してのみＣＳＩフィードバックのためのチャネル測定を行えばよい。すなわち、端末は、残り（＝Ｎｃ’−Ｎｃ個）のＣＳＩ−ＲＳに対してはチャネル測定を行わなくて同期化／トラッキングのみを行う。
【０１５０】
このように、Ｎｃ＝ｎ個の特定ＣＳＩ−ＲＳに対してのみチャネル測定を行ってフィードバックコンテンツ（例えば、ＲＩ、ＰＭＩ及び／又はＣＱＩ）を導出／計算する動作は、これと共に設定される特定ＣＳＩ手順内で行われるように規定／設定される。例えば、端末が特定Ｎｐ＝１個のＣＳＩ手順もＲＲＣシグナリングを通じて設定を受けるようになる場合、このようなＣＳＩ手順は、特定個数のＣＳＩ−ＲＳ（インデックス）とＣＳＩ−ＩＭ（インデックス）間の組み合わせと連係して設定されることができる。このとき、端末は、全体活性化（設定）指示されたＮｃ＝１個の特定ＣＳＩ−ＲＳを該当ＣＳＩ手順のチャネル測定対象となるＣＳＩ−ＲＳとして（自動で）認識するように定義／設定されることができる。
【０１５１】
さらに他の接近方法としては、ＣＳＩ手順もこれと類似して、例えば、部分活性化（設定）形態でＮｐ’＝Ｎ１（例えば、Ｎ１＝３）の設定を受け、それぞれのＣＳＩ手順に対して／連係されて前記Ｎｃ’＝Ｎ２（例えば、Ｎ２＝３）個のＣＳＩ−ＲＳインデックスが設定されていることがある。その後、基地局は、全体活性化（設定）されるＮｐ＝ｎ１個（例えば、ｎ１＝１）の特定ＣＳＩ手順をＭＡＣ又はＰＨＹシグナリングでダイナミックに端末に指示することができる。この場合、端末は、全体活性化（設定）される特定ＣＳＩ手順に対するＣＳＩフィードバックを開始する。
【０１５２】
つまり、このように特定ＣＳＩ手順別に連動／指示された特定ＣＳＩ−ＲＳ（インデックス）及び／又はＣＳＩ−ＩＭ（インデックス）が固定／維持されるか（又は固定されるインデックスであるか）、又は上記例示のように変化するか（又は変化するインデックスであるか）を識別／指示するための別途の識別子／インジケータ又は特定暗示的／明示的シグナリング方法が規定されることができる。もし、前記連動／指示された特定ＣＳＩ−ＲＳ（インデックス）及び／又はＣＳＩ−ＩＭ（インデックス）が固定されたものであるとの指示を受けた場合、端末は、固定されたＣＳＩ−ＲＳ（インデックス）及び／又はＣＳＩ−ＩＭ（インデックス）に対応／該当する資源を測定することができる。逆に、前記連動／指示された特定ＣＳＩ−ＲＳ（インデックス）及び／又はＣＳＩ−ＩＭ（インデックス）が変化するものであるとの指示を受けた場合、端末は、上記例示のようにＮｃ＝１個の特定ＣＳＩ−ＲＳ（インデックス）が別途のＭＡＣ又はＰＨＹシグナリングで全体活性化（設定）されるときに該当特定ＣＳＩ−ＲＳ（インデックス）を（ＣＳＩ−ＲＳ手順のチャネル測定対象に）自動適用することができる。ここで、全体活性化（設定）可能なＣＳＩ−ＲＳの個数は２つ以上（すなわち、Ｎｃ個≧２）でもありうる（例えば、２Ｄ−ＡＡＳ構造で複数のＣＳＩ−ＲＳ資源をクロネッカー(Kronecker)演算などにより共に／同時に測定する目的など）。このときも全体活性化（設定）指示されるＣＳＩ−ＲＳ（インデックス）が別途にダイナミックに指示することができ、この場合も、端末は該当ＣＳＩ−ＲＳ（インデックス）をＣＳＩ手順に自動で適用することができる。
【０１５３】
つまり、このようなＣＳＩ手順の設定で指示できるＣＳＩ−ＲＳインデックス及び／又はＣＳＩ−ＩＭインデックスは、どの候補セットから選択／設定できるかがＲＲＣ設定段階から定義しなければならない。
【０１５４】
これと同一／類似するように、ＣＳＩ−ＩＭに対してもＮｉ’及びＮｉによって前述した動作／実施形態が適用されることは言うまでもない（すなわち、ＣＳＩ−ＲＳ→ＣＳＩ−ＩＭ、Ｎｃ→Ｎｉ、Ｎｃ’ →Ｎｉ’にそれぞれ代替可能）。
【０１５５】
もし、特定ＣＳＩ−ＲＳ（インデックス）、ＣＳＩ−ＩＭ（インデックス）、及び／又はＣＳＩ手順プロセス（インデックス）が全体活性化（設定）されるＭＡＣ又はＰＨＹシグナリングが♯ｎ ＳＦ時点で受信された場合、端末は、該当時点からｙ ｍｓ以後、すなわち＃（ｎ＋ｙ）ＳＦ時点から受信したシグナリングによる動作を開始／適用することができる。
【０１５６】
周期的（periodic）ＣＳＩ報告の場合、端末は、新しく全体活性化（設定）された特定ＣＳＩ−ＲＳ（インデックス）、ＣＳＩ−ＩＭ（インデックス）、及び／又はＣＳＩ手順プロセス（インデックス）に対するＣＳＩ測定及び報告を、＃（ｎ＋ｙ） ＳＦ時点以降に存在する最初のＲＩ報告時点（instance）と連係された特定参照資源（reference resource）時点（又はＣＳＩ報告時点）から開始することができる。すなわち、端末は、＃（ｎ＋ｙ） ＳＦ時点以降に存在する有効な参照資源時点（又はＣＳＩ報告時点）（すなわち、ＣＳＩ（例えば、ＲＩ／ＰＭＩ／ＣＱＩ）が測定／計算される時点）のうち最初にＲＩが報告される時点から新しいＣＳＩコンテンツ（すなわち、♯ｎ ＳＦ時点で受信したシグナリングによるＣＳＩコンテンツ）を報告することができる。すなわち、これは、前述した最初のＲＩ報告時点以前であれば、ＰＭＩ／ＣＱＩ報告時点が存在しても端末が該当ＰＭＩ／ＣＱＩ報告時点では前記全体活性化（設定）指示に従う新しいＣＳＩコンテンツを報告してはならず、以前に従っていたＣＳＩ設定によるＣＳＩフィードバックコンテンツ報告を維持／持続しなければならないことを意味する。つまり、端末は、（全体活性化（設定）シグナリングを受信した後でも）新しいＲＩ報告時点から全体活性化（設定）によるＣＳＩ報告を実行／開始することができる。
【０１５７】
上記動作において、測定を平均化するウィンドウに関する設定情報が別途に又は共にＲＲＣシグナリングで提供されるか、事前に規定されることができる（特に、前述した全体／部分活性化（設定）の設定支援が可能な向上した（enhanced）端末に対してのみ規定される）。この場合、従来のような無制限観測（unrestricted observation）が端末に許容されず、［ｄ１、ｄ２］ｍｓなど特定時間区間（すなわち、ウィンドウ）内での測定平均化（measurement averaging）が端末に許容されることができる。これは、測定対象となるＣＳＩ−ＲＳ及び／又はＣＳＩ−ＩＭ資源設定情報がＭＡＣ又はＰＨＹシグナリングを通じて動的スイッチングされることができるので、特定境界／制限区間内でのみ測定平均化を行うように規定することがより好ましいからである。
【０１５８】
この場合、前述したような測定対象となるＣＳＩ−ＲＳ及び／又はＣＳＩ−ＩＭ資源に関する設定情報がＭＡＣ又はＰＨＹシグナリング（例えば、ＤＣＩによる）を通じて動的スイッチング／指示される場合、このようなシグナリングと連動してＣＳＩ−ＲＳ−ベースチャネル測定のための測定平均化ウィンドウを初期化／更新／リセットする端末の動作が規定／設定される。そして／または、前記シグナリングと連動して、ＣＳＩ−ＩＭ−ベースの干渉測定のための測定平均化ウィンドウを初期化／更新／リセットする端末の動作が規定／設定される。ここで、「測定平均化ウィンドウが初期化／更新／リセットされる」とは、現在標準によって「ＣＳＩ測定のための無制限観測」により過去任意の時点から現在まで繰り返して測定されているＣＳＩ−ＲＳポートからのチャネル測定値を端末実現によって平均化する従来の動作において、前記「任意の時点」に該当する「測定ウィンドウの開始点」が特定時点に初期化／更新／リセットされることを意味する。ここで、このような特定時点は、前記シグナリングを受信した時点（♯ｎ ＳＦ）又は前記シグナリング受信時点から予め設定された時点後（例えば、♯ｎ＋ｋ ＳＦ）（ここで、予め設定された時点ｋは別途に指示／設定できる）に設定／決定されることができる。または、このような特定時点は、明示的にシグナリングされて前記シグナリングを通じて共に端末に提供されることもできる。例えば、特定時点をシグナリングする方式としては、ＳＦＮ、スロットナンバーなど絶対時間パラメータ値を用いた絶対時間情報指示方法、タイムスタンプ（timestamp）形態の指示方法、又は前記シグナリングを端末が受信した時点を基準にした＋／−差等／デルタ値（例えば、特定時点が♯ｎ＋ｋ ＳＦである場合、「＋ｋ」）形態の指示方法などが存在する。
【０１５９】
すなわち、このようなシグナリング（すなわち、ＣＳＩ−ＲＳ及び／又はＣＳＩ−ＩＭ資源に関する設定情報に関するシグナリング）は、ただ測定平均化ウィンドウの開始時点のみを初期化／更新／リセットする役割のみを果たすものに限定されることができる。そうすると、端末は、初期化／更新／リセットされた時点から始まって以後に追加的な前記シグナリング／指示が受信される前（すなわち、測定平均化ウィンドウの終了時点）まで取得したＣＳＩ測定値を（端末実現によって）平均化することができる。
【０１６０】
そして／または、このようなシグナリング（すなわち、ＣＳＩ−ＲＳ及び／又はＣＳＩ−ＩＭ資源に関する設定情報に関するシグナリング）は、各ＣＳＩ手順別に別途に／独立的にシグナリングされることができる。その結果、各ＣＳＩ手順別に測定ウィンドウ初期化／更新／リセットが独立的に適用／実行できる。
【０１６１】
また、このようなシグナリング（すなわち、ＣＳＩ−ＲＳ及び／又はＣＳＩ−ＩＭ資源に関する設定情報に関するシグナリング）は、特定ＣＳＩ−ＩＭ資源に対する干渉測定平均化ウィンドウを初期化／更新／リセットする用途としても用いられる。この場合、該当シグナリングは、ＣＳＩ手順に属する／関連されたＣＳＩ−ＲＳ及びＣＳＩ−ＩＭに対する測定平均化ウィンドウを同時に／共に初期化／更新／リセットする役割を果たすことができる。あるいは、ＣＳＩ−ＩＭ資源に対する干渉測定平均化ウィンドウを初期化／更新／リセットするための別途の／独立的なインジケータをシグナリングする方式も適用することができる。これは、干渉環境の変化が存在する環境（例えば、ｅＩＣＩＣ、ｅＩＭＴＡ、ＬＡＡなど）で基地局が干渉環境の変化を予測／感知した場合、端末に特定ＣＳＩ手順に対する測定平均化ウィンドウを初期化／更新／リセットするように通知することにより、端末が過去の干渉環境を現時点から干渉測定値にそれ以上反映しないように分離するという効果がある。
【０１６２】
ＣＳＩ取得（acquisition）フレームワーク
【０１６３】
以下では３ＧＰＰ ＬＴＥ及び／又はＮＲシステムに適用できるＣＳＩ取得のためのフレームワークについて提案する。しかしながら、これに限定されるものではなく、様々な無線通信システム（例えば、ＵＴＲＡなど）にも拡張適用することができる。
【０１６４】
次のＤＬ Ｌ１（Layer 1）／Ｌ２（Layer 2）ビーム管理手順は、１つ又は複数のＴＲＰで支援することができる：
【０１６５】
−Ｐ−１（手順）：Ｐ−１は、ＴＲＰ Ｔｘ（transmission）ビーム／ＵＥ Ｒｘ（reception）ビームの選択を支援するための異なるＴＲＰ Ｔｘビームに対するＵＥ測定を活性化（enable）するのに用いられる。ＴＲＰのビームフォーミングの場合、一般的に異なるビームのセットからの（又は異なるビームから構成されたセットを用いた）ｉｎｔｒａ／ｉｎｔｅｒ−ＴＲＰ Ｔｘビームスイーピングを含むことができる。ＵＥのビームフォーミングの場合、一般的に異なるビームのセットからの（又は異なるビームから構成されたセットを用いた）ＵＥ Ｒｘビームスイーピングを含むことができる。ＴＲＰ ＴｘビームとＵＥ Ｒｘビームは、一緒に（jointly）又は順次（sequentially）決定される。順次決定される場合、例えば、ＴＲＰ Ｔｘビームが決定された後に決定されたＴＲＰ Ｔｘビームに基づいてＵＥ Ｒｘビームが決定される。
【０１６６】
−Ｐ−２（手順）：Ｐ−２は、ｉｎｔｅｒ／ｉｎｔｒａ−ＴＲＰ Ｔｘビームを決定／変更するために異なるＴＲＰ Ｔｘビームに対するＵＥの測定を活性化（enable）するのに用いられる。すなわち、このようなＰ−２は、ＵＥが最適な／適切なＴＲＰ Ｔｘビームを決定することが目的であるので、異なるＴＲＰ Ｔｘビームを測定（より詳細には、異なるＴＲＰ Ｔｘビームを通じて送信されるＲＳを測定）し、同一のＴＲＰ Ｔｘビームに対する反復的な測定は行わない。従って、Ｐ−２が設定された場合、同一の／１つのＲＳ資源セット内でＲＳ（例えば、ＣＳＩ−ＲＳ）資源が送信／マッピングされるＴｘビームは資源別に異なる。ここで、異なるＴＲＰ Ｔｘビームの測定に用いられるＲｘビームは同一のビームに固定されることができ、以下、後述するＰ−３で決定／選択されたＲｘビームに該当することができる。
【０１６７】
このようなＰ−２は、ＲＲＣシグナリングを通じて端末に設定される。例えば、Ｐ−２は、「ＲｅｓｏｕｒｃｅＲｅｐ（又はＣＳＩ−ＲＳ−ＲｅｓｏｕｒｃｅＲｅｐ） ＲＲＣパラメータ」が「ＯＦＦ」に設定／指示されることにより端末に設定／指示されることができる。ここで、「ＲｅｓｏｕｒｃｅＲｅｐ ＲＲＣパラメータ」は「繰り返し（repetition）がＯＮ／ＯＦＦ」されるか否かを指示するＲＲＣパラメータに該当することができる。もし、「ＲｅｓｏｕｒｃｅＲｅｐ ＲＲＣパラメータ」が繰り返しＯＮを指示する場合（すなわち、パラメータがＯＮに設定される場合）、ＵＥは、基地局が同一のＲＳセット内のＲＳ資源別に固定されたＴｘビームを維持していると仮定することができ、繰り返しＯＦＦを指示する場合（すなわち、パラメータがｏｆｆに設定される場合）、ＵＥは、基地局が同一のＲＳセット内のＲＳ資源別に固定されたＴｘビームを維持しないと仮定することができる。このとき、前記ＲＳがＣＳＩ−ＲＳである場合のＲｅｓｏｕｒｃｅＲｅｐ ＲＲＣパラメータは「ＣＳＩ−ＲＳ-ＲｅｓｏｕｒｃｅＲｅｐ ＲＲＣパラメータ」と称することができる。ＣＳＩ−ＲＳ資源セットと連係されたＣＳＩ−ＲＳ−ＲｅｓｏｕｒｃｅＲｅｐは、空間ドメイン送信フィルタ（spatial domain transmission filter）（特に、空間ドメイン送信フィルタが同一か否か）と共に繰り返しが基地局でＯＮ／ＯＦＦされるか否かを定義／指示することができる（CSI-RS-ResourceRep parameter associated with a CSI-RS resource set defines whether a repetition in conjunction with spatial domain transmission filter is ON/OFF at gNB-side）。
【０１６８】
もし、ＵＥが「ＯＦＦ」に設定された上位層パラメータＣＳＩ−ＲＳ-ＲｅｓｏｕｒｃｅＲｅｐの設定を受けた場合（すなわち、Ｐ−２が設定される場合）、ＵＥは、資源セット内のＣＳＩ−ＲＳ資源が全てのシンボルで同一のダウンリンク空間ドメイン送信フィルタ及び同一のポート数で送信されると仮定しないことができる（If the UE is configured with the higher-payer parameter CSI-RS-ResourceRep is set to ‘OFF’, the UE may not assume that the CSI-RS resources within the resource set are transmitted with the same downlink spatial domain transmission filter and with same number of ports in every symbol）。
【０１６９】
このようなＰ−２は、Ｐ−１よりさらに微細なビーム調整（refinement）のためにＰ−１より小さいＴｘビームセット（すなわち、より狭い範囲のビームセット）に対してＵＥ測定が行われる。従って、Ｐ−２はＰ−１の特殊ケースとみなすことができる。
【０１７０】
−Ｐ−３（手順）：Ｐ−３は、ＵＥがビームフォーミングを用いる場合、ＵＥ Ｒｘビームを決定／変更するために同一のＴＲＰ Ｔｘビームに対するＵＥの（繰り返し）測定を活性化（enable）するのに用いられる。すなわち、このようなＰ−３は、ＵＥが最適な／適切なＲｘビームを決定することが目的であるので、同一のＴＲＰ 「Ｔｘ」ビームを異なる「Ｒｘ」ビームを用いて「反復的に」測定／受信（より詳細には、同一のＴＲＰ Ｔｘビームを通じて送信されるＲＳを異なるＲｘビームを用いて測定）することができる。このとき、繰り返し測定される同一のＴＲＰ 「Ｔｘ」ビームはＰ−２を通じて事前に決定／選択されたＴｘビームでありうる。従って、Ｐ−３が設定された場合、同一のＲＳ資源セット内でＲＳ（例えば、ＣＳＩ−ＲＳ）資源が送信／マッピングされるＴｘビームは資源別に同一でありうる。
【０１７１】
このようなＰ−３は、ＲＲＣシグナリングを通じて端末に設定されることができる。例えば、Ｐ−３は「ＲｅｓｏｕｒｃｅＲｅｐ（又はＣＳＩ−ＲＳ−ＲｅｓｏｕｒｃｅＲｅｐ） ＲＲＣパラメータ」が「ＯＮ」に設定／指示されることにより端末に設定／指示されることができる。
【０１７２】
もし、ＵＥが「ＯＮ」に設定された上位層パラメータＣＳＩ−ＲＳ-ＲｅｓｏｕｒｃｅＲｅｐの設定を受けた場合（すなわち、Ｐ−３が設定される場合）、ＵＥは、資源セット内のＣＳＩ−ＲＳ資源は同一のダウンリンク空間ドメイン送信フィルタにより送信され、前記資源セット内のＣＳＩ−ＲＳ資源はそれぞれ異なるＯＦＤＭシンボルで送信されると仮定する（If the UE is configured with the higher-layer parameter CSI-RS-ResourceRep set to ‘on’, the UE may assume that the CSI-RS resources within the resource set are transmitted with the same downlink spatial domain transmission filter, where the CSI-RS resources in the resource set are transmitted in different OFDM symbols.）。また、ＵＥは、セット内の全てのＣＳＩ−ＲＳ資源が異なる周期性（periodicity）を有することを期待しない（The UE is not expected to receive different periodicity in CSI-RS-timeConfig and NrofPorts in every CSI-RS resource within the set.）。
【０１７３】
手順Ｐ−２及びＰ−３は、ＴＲＰ Ｔｘビーム及びＵＥ Ｒｘビームの同時変更の目的を達成するために、一緒に（jointly）（又は順次(sequentially)）及び／又は複数回行われることができる。手順Ｐ−３には物理層手順が存在することも、しないこともある。また、ＵＥに対する多重Ｔｘ／Ｒｘビーム対の管理が支援されることができる。
【０１７４】
前述した手順は全ての周波数帯域に適用でき、ＴＲＰ当たり単一／複数のビームで用いられる。
【０１７５】
以下ではＵＬビーム管理手順に対して後述する。ＵＬビーム管理手順は、前述したＤＬビーム管理手順と類似して定義されることができ、次のような種類に大別される：
【０１７６】
−Ｕ−１（手順）：ＵＥ Ｔｘビーム／ＴＲＰ Ｒｘビームの選択を支援するために、異なるＵＥ Ｔｘビームに対するＴＲＰ測定を活性化（enable）するのに用いられる。このようなＵ−１は、前述したＰ−１に対応することができる。
【０１７７】
−Ｕ−２（手順）：ｉｎｔｅｒ／ｉｎｔｒａ−ＴＲＰ Ｒｘビームを変更／選択するために異なるＴＲＰ Ｒｘビームに対するＴＲＰ測定を活性化（enable）するのに用いられる。このようなＵ−２は、前述したＰ−２に対応することができる。
【０１７８】
−Ｕ−３（手順）：ＵＥがビームフォーミングを用いる場合、ＵＥ Ｔｘビームを変更するために同一のＴＲＰ Ｒｘビームに対する（反復的な）ＴＲＰ測定を活性化（enable）するのに用いられる。このようなＵ−３は、前述したＰ−３に対応することができる。
【０１７９】
このような手順に関して様々なＴｘ／Ｒｘビーム一致／符合／対応（correspondance）関連情報の指示が支援されることができる。
【０１８０】
次のようなチャネル／ＲＳに基づいてＵＬビーム管理が行われる：
【０１８１】
−ＰＲＡＣＨ
【０１８２】
−ＳＲＳ
【０１８３】
−ＤＭ−ＲＳ
【０１８４】
ＴＲＰとＵＥはＴｘ／Ｒｘビーム対応性（correspondence）／一致性を有することができる。または、ＴＲＰはＴｘ／Ｒｘビーム一致／符合／対応（correspondence）を有しなく、そして／または、ＵＥはＴｘ／Ｒｘビーム一致／符合／対応（correspondence）を有しないことがある。
【０１８５】
ＵＥは、ＣＳＩ取得のために次のような特徴に設定されることができる：
【０１８６】
−Ｎ（≧１）個のＣＳＩ報告セッティング（reporting settings）、Ｍ（≧１）個のＲＳセッティング、Ｊ（≧1）個のＩＭセッティング及びＮ個のＣＳＩ報告セッティングをＭ個のＲＳセッティング及びＪ個のＩＭセッティングに連結するＣＳＩ測定セッティング（「測定連結(link)」とも称することができる）
【０１８７】
−ＣＳＩ報告セッティングは少なくとも次を含む：
−時間−ドメイン動作：非周期的又は周期的／半永久的（semi-persistent）
−少なくともＰＭＩ及びＣＱＩに対する周波数単位
−報告されるＣＳＩパラメータ（ＰＭＩが報告される場合、ＰＭＩタイプ(タイプがＩ又はＩＩ)及びコードブック構成）
【０１８８】
−ＲＳセッティングは少なくとも次を含む：
−時間−ドメイン動作：非周期的又は周期的／半永久的
−少なくともＣＳＩ−ＲＳを含むＲＳタイプ
−Ｋ個の資源のＲＳ資源セット
【０１８９】
−ＩＭセッティングは少なくとも次を含む：
−時間−ドメイン動作：非周期的又は周期的／半永久的
−ＣＳＩ−ＩＭを含むＩＭタイプ
−ＲＳセッティング及びＩＭセッティングは併合されることができる
【０１９０】
−ＣＳＩ測定セッティングは少なくとも次を含む：
−１つのＣＳＩ報告セッティング
−１つのＲＳセッティング
−１つのＩＭセッティング
−ＣＱＩの場合、参照送信スキーム（scheme）設定
−すなわち、ＣＳＩ測定セッティングは、特定ＣＳＩ報告セッティング、特定ＲＳセッティング及び／又は特定ＩＭセッティングを互いに連結する機能を実行し、端末は、１つのＣＳＩ測定セッティングを通じて設定されたＣＳＩ報告セッティング、ＲＳセッティング及び／又はＩＭセッティングが互いに連係／関連されたとみなすことができる。
【０１９１】
ＵＥは、好むＣＳＩ測定セッティングを選択するための動的指示を含む複数のＣＳＩ測定セッティングに設定される（ＲＳセッティング内のＫ個の資源中の特定資源の選択を含む）。
【０１９２】
ＵＥは、最大Ｌ個のＣＳＩ測定を支援することができ、このとき、Ｌ値はＵＥ性能（capability）に依存する。
【０１９３】
ＮＺＰ ＣＳＩ−ＲＳ資源は、ＮＲにおいて少なくともＣＳＩを導出するために測定される周波数範囲（span）／時間期間内のＲＥのセットにマッピングされるＮＺＰ ＣＳＩ−ＲＳポートのセットと定義される。複数のＮＺＰ ＣＳＩ−ＲＳ資源は、少なくともＣｏＭＰ及び多重ビームフォーミングされたＣＳＩ−ＲＳベースの動作を支援するためにＵＥに設定されることができる。このとき、少なくともＣｏＭＰのための各ＮＺＰ ＣＳＩ−ＲＳ資源は異なる個数のＣＳＩ−ＲＳポートを有する。
【０１９４】
１つのＮＺＰ ＣＳＩ−ＲＳ資源内で、又は２つ以上の資源の間に特定ＱＣＬパラメータセットに対するＱＣＬ仮定が行われることができる。
【０１９５】
１つのＮＺＰ ＣＳＩ−ＲＳ資源が２つ以上のＣＳＩを導出するのに用いられ、複数のＮＺＰ ＣＳＩ−ＲＳ資源が１つのＣＳＩを導出するのに用いられることができる。
【０１９６】
ＣＳＩ−ＲＳは、ＤＬ Ｔｘビームスイーピング及びＵＥ Ｒｘビームスイーピングを支援することができる。ここで、ＣＳＩ−ＲＳはＰ−１、Ｐ−２及びＰ−３に用いられることができる。
【０１９７】
ＮＲ ＣＳＩ−ＲＳは次のマッピング構造を支援することができる：
【０１９８】
− Ｎ＿ｐ個のＣＳＩ−ＲＳポートは（サブ）時間単位（time unit）別にマッピングされることができる。（サブ）時間単位にわたって同一のＣＳＩ−ＲＳアンテナポートがマッピングされることができる。ここで、「時間単位」は、設定された／参照ヌメロロジーでｎ≧１であるＯＦＤＭシンボルを意味する。時間単位を構成するＯＦＤＭシンボルは、時間ドメイン上で連続的に又は不継続的に位置する。ポート多重化（port multiplexing）方法としては、ＦＤＭ、ＴＤＭ、ＣＤＭ又はそれらの多様な組み合わせなどが存在することができる。
【０１９９】
−各時間単位は、サブ時間単位に分割される。分割方式としては、例えば、ＴＤＭ、ＩＦＤＭＡ（Interleaved FDMA）、参照ＯＦＤＭシンボル長さ（サブキャリア間隔(spacing)）と同一であるか、又はより短いＯＦＤＭシンボル長さ（すなわち、より大きいサブキャリア間隔）を有するＯＦＤＭシンボルレベルの分割方法があり、以外の他の方法も排除されない。
【０２００】
−このようなマッピング構造は多重パネル／Ｔｘチェーンを支援するのに用いられる。
【０２０１】
−Ｔｘ及びＲｘビームスイーピングのための次のようなＣＳＩ−ＲＳマッピングオプションが存在する：
【０２０２】
１．オプション１：Ｔｘビームは、各時間単位内でサブ時間単位別に同一である。Ｔｘビームは、時間単位別に異なる。
【０２０３】
２．オプション２：Ｔｘビームは、各時間単位内でサブ時間単位別に異なる。Ｔｘビームは、時間単位別に同一である。
【０２０４】
３．オプション３（オプション１とオプション２の組み合わせ）：１つの時間単位内でＴｘビームはサブ時間別に同一である。他の（another）時間単位内でＴｘビームはサブ時間別に異なる。個数及び周期観点から異なる時間単位が結合されることができる。
【０２０５】
Ｔｘスイーピング及びＲｘスイーピングのいずれか１つのみが可能であることもある。前述したマッピング構造は１つ又は複数のＣＳＩ−ＲＳ資源構成に設定されることができる。
【０２０６】
１．ＲＳセッティング
【０２０７】
ＤＬ Ｔｘ／ＲｘビームスイーピングのためのＣＳＩ−ＲＳ支援と関連して前述したところによれば、ＮＲは異なる運営目的（すなわち、ＭＩＭＯ ＣＳＩフィードバックのためのタイプ１とＮＺＰ ＣＳＩ−ＤＬビーム管理のためのタイプ２）の観点から異なる２つのＮＺＰ ＣＳＩ−ＲＳ資源のタイプが定義されなければならない。従って、本明細書においては、ＤＬ Ｔｘ／ＲｘビームスイーピングのためのＣＳＩ−ＲＳ支援と関連して前述したところにより、ＮＲでは異なる運営目的（すなわち、ＭＩＭＯ ＣＳＩフィードバックのためのタイプ１及びＤＬビーム運営のためのタイプ２）の観点から異なる２種類のタイプのＮＺＰ ＣＳＩ−ＲＳ資源を定義することを提案する。
【０２０８】
１．１．タイプ１ＣＳＩ−ＲＳ資源（ＭＩＭＯ ＣＳＩフィードバック用）
【０２０９】
タイプ１ＣＳＩ−ＲＳ資源は、特にＦＤ−ＭＩＭＯ及びｅＦＤ−ＭＩＭＯ ＷＩで開発されたＭＩＭＯ ＣＳＩフィードバック機能に対してＬＴＥに定義された構造に基づく。すなわち、ＵＥがタイプ１ＣＳＩ−ＲＳ資源の設定を受けた場合、該当資源は、ｇｒａｎｕｌａｒｉｔｙ（細分性）と関連した任意の（サブ）時間単位に設定されず、ＬＴＥと類似して周期／オフセット（設定された場合、例えば、周期的ＣＳＩ−ＲＳ）に設定される。また、このようなＲＳセッティングに連結された測定セッティングによって（ＬＴＥでのＣＳＩ手順コンセプトと類似）ＣＲＩ（Ｃｌａｓｓ（クラス）ＢでＫ＞１に設定された場合）、ＲＩ、ＰＭＩ及びＣＱＩが含まれた対応するＣＳＩを共に導出するためにタイプ１ＣＳＩ−ＲＳ資源で設定されたＣＳＩ−ＲＳポート（又はＣＳＩ−ＲＳポート数）が共に測定されることができる。
【０２１０】
従って、タイプ１ＣＳＩ−ＲＳ資源は、少なくともＭＩＭＯ ＣＳＩフィードバック関連報告及びそれ以外の様々なケースに用いられることができる。
【０２１１】
１．２．タイプ２ＣＳＩ−ＲＳ資源（ＤＬビーム運営用）
【０２１２】
タイプ２ＣＳＩ−ＲＳ資源は、ＤＬ Ｔｘビームスイーピング及びＵＥ Ｒｘビームスイーピングを支援するためにＮＲにおいて新しく導入されることができる。各時間単位は、複数のサブ時間単位に分割され、Ｎ＿ｐ個のＣＳＩ−ＲＳポートは、（サブ）時間単位別にマッピングされ、同一のＣＳＩ−ＲＳアンテナポートは（サブ）時間単位にわたってマッピングされる。
【０２１３】
Ｔｘ及びＲｘビームスイーピングのためにＣＳＩ−ＲＳをマッピングするための前述した３種類のオプションに関しては、後述するようなオプション１のみを選択することにより十分であり、他のオプションの導入がなくても識別されたＤＬビーム運営手順Ｐ−１、Ｐ−２及びＰ−３を十分に支援可能である。
【０２１４】
−オプション１：Ｔｘビームは、各時間単位内のサブ時間単位にわたって同一である。Ｔｘビームは時間単位別に異なる。
【０２１５】
また、タイプ２ＣＳＩ−ＲＳ資源は、主にＤＬビーム運営関連報告用として用いられ、このとき、必須の報告コンテンツは図１１を参照して以下に後述する。従って、タイプ２ＣＳＩ−ＲＳ資源は、少なくともＤＬビーム運営関連報告及びそれ以外の他のケースに用いられることができる。
【０２１６】
上記のマッピング構造が１つ又は複数のＣＳＩ−ＲＳ資源に設定されるか否かに関する問題について、それぞれ設定されたＣＳＩ−ＲＳ資源は１つの時間単位に対応することを明確にするとともに、ＵＥには複数のタイプ２ＣＳＩ−ＲＳの設定が可能であることを提案することができる。また、複数のＯＦＤＭシンボル（例えば、サブ時間単位で表現される、すなわち１つのＯＦＤＭシンボルは１つのサブ時間単位に該当／対応）はオプション１が複数のサブ時間単位にわたって適用されるときにのみ（ＵＥ Ｒｘビームスイーピング目的）前記ＣＳＩ−ＲＳ資源内に設定されることができる。
【０２１７】
従って、本明細書においては、ＵＥに対して複数のタイプ２ＣＳＩ−ＲＳ資源の設定ができるように許与することを提案する。ここで、各設定されたＣＳＩ−ＲＳは時間単位に対応することができる。さらに、複数のＯＦＤＭシンボル（例えば、サブ時間単位）は、複数のサブ時間単位にわたって前述したオプション１が適用される場合に限ってのみ前記ＣＳＩ−ＲＳ資源内に設定されることができる。
【０２１８】
タイプ２ＣＳＩ−ＲＳ資源に対して必要なＱＣＬ指示は、初期接続関連の議論を考慮して提案されることができる。Ｒｘビーム探索で適切なＵＥ複雑性を支援するために、このようなタイプ２ＣＳＩ−ＲＳ資源は少なくとも空間（spatial）ＱＣＬパラメータに対してＭＲＳ−ｘ又はＳＳブロックに対する適切なＱＣＬ連結（linkage）が（初期接続関連の議論によって）設定される必要がある。
【０２１９】
図１１は、本発明の一実施形態によるタイプ２ＣＳＩ−ＲＳ資源に対して必要なＱＣＬ連結／関係を例示した図である。特に、図１１は、ＣＳＩ−ＲＳ送信に用いられるＴＸＲＵが少なくともＳＦブロック方式でＳＳブロック内の信号送信に用いられることを考慮して、タイプ２ＣＳＩ−ＲＳ資源に対して必要なＱＣＬ連結／関係について説明する。
【０２２０】
図１１に示すように、ＵＥは、ＲＲＣにより４つのタイプ２ＣＳＩ−ＲＳ資源（ＣＳＩ−ＲＳ資源＃１〜♯４）の設定を受けることができるが、ＣＳＩ−ＲＳ資源＃１及び＃４のみがＭＡＣ ＣＥにより活性化される（ｅＦＤ−ＭＩＭＯでＮＺＰ ＣＳＩ−ＲＳ資源(すなわち、ＮＲコンテキストでの「半永久的(semi-persistent)ＣＳＩ−ＲＳ」)に対する活性化／解除として定義された類似した手順により）。このＬ２レベル活性化メカニズムにより、タイプ２ＣＳＩ−ＲＳ資源のオーバーヘッドはｇＮＢ実現により合理的に制御されることができ、ＤＬビーム運営に対するＵＥ側の複雑性減少が共に達成できる。
【０２２１】
従って、Ｒｘビーム探索で適切なＵＥ複雑性を支援するために、タイプ２ＣＳＩ−ＲＳ資源は少なくとも空間ＱＣＬパラメータ（ビーム範囲／角度関連ＱＣＬパラメータ）に対してＭＲＳ−１又はＳＳブロックとの適切なＱＣＬ連結／関係が設定される必要がある。また、タイプ２ＣＳＩ−ＲＳ資源に対するＬ２レベルの活性化／解除メカニズムを用いて、ＤＬビーム運営のためのネットワーク側ＲＳオーバーヘッド及びＵＥ側複雑性減少を共に達成することができる。
【０２２２】
２．ＩＭセッティング
【０２２３】
ＲＳ設定とＩＭ設定が併合（merge）できるか否かに関連して、ＮＲで支援される可能な全てのＩＭ方法が専ら設定されたＲＳセッティングに基づいて動作する場合（例えば、全てのＩＭ方法がＲＳセッティングで設定されたＮＺＰ ＣＳＩ−ＲＳの使用／抽出に基づく場合）でないと、ＲＳセッティングとＩＭセッティングは互いに分離されなければならない。しかしながら、少なくともＣＳＩ−ＩＭベースのＩＭ方法は、ｇＮＢにより設定された分離されたＩＭ資源をベースとするＮＲで支援されなければならず、分離されたＪ（≧1）個のＩＭセッティングは合理的であり、測定セッティングにより指示可能であるので、柔軟性を有する。
【０２２４】
従って、本明細書においては、少なくともＣＳＩ−ＩＭベースのＩＭ方法がＮＲで支援されなければならず、非周期的／半永久的／周期的ＣＳＩ−ＲＳセッティングと非周期的／半永久的／周期的ＩＭセッティング間の組み合わせを含む柔軟な測定セッティングの支援を考慮して、ＲＳセッティングとＩＭセッティングを分離することを提案する。
【０２２５】
３．測定セッティング
【０２２６】
前述したように、柔軟な測定セッティングを許容することはＮＲに好ましく、測定セッティングは、非周期的／半永久的／周期的ＣＳＩ−ＲＳ設定と非周期的／半永久的／周期的ＩＭセッティング間のいかなる組み合わせも支援することができる。より具体的には、半永久的又は周期的なＣＳＩ報告を考慮すると、Ｌ１／Ｌ２制御シグナリングを回避するか最小化するために半永久的又は周期的なＩＭ資源が考慮される必要がある。また、非周期的なＣＳＩ−ＲＳセッティングは非周期的ＣＳＩ報告のために半永久的又は周期的なＩＭ資源と関連することができる。逆に、半永久的又は周期的なＣＳＩ−ＲＳは非周期的ＣＳＩ報告のために非周期的なＩＭ資源に関連することができる。さらに、周期的及び半永久的ＣＳＩ報告も可能であるので、測定セッティング設定を支援するために必要な組み合わせの範囲を狭くするために全ての種類の可能な組み合わせが調査される必要がある。
【０２２７】
非周期的／半永久的／周期的ＣＳＩ報告、非周期的／半永久的／周期的ＣＳＩ−ＲＳ、潜在的非周期的／半永久的／周期的ＩＭ資源間の全ての可能な組み合わせを調査して測定セッティング設定のために支援される必要範囲を狭くする必要がある。
【０２２８】
４．報告セッティング
【０２２９】
非周期的で、半永久的で、周期的なＣＳＩ報告が全てＮＲにおいて支援できる。前述した測定セッティング設定によって適切なＣＳＩ報告コンテンツが定義される必要がある。
【０２３０】
もし、特定測定セッティングでタイプ１ＣＳＩ−ＲＳ資源が指示される場合、該当報告コンテンツの基準はｅＦＤ−ＭＩＭＯ ＷＩの結果を含んでＬＴＥで支援される既存のＣＳＩ報告タイプでなければならない。
【０２３１】
特定測定セッティングでタイプ２ＣＳＩ−ＲＳ資源が指示される場合、ＤＬビーム運営を支援するために必要な報告コンテンツによって該当報告コンテンツが決定されなければならない。図１１に示すように、タイプ２ＣＳＩ−ＲＳ資源内の各ＣＳＩ−ＲＳポートは異なるアナログビームに対応することができるので、対応する報告コンテンツは好まれるビーム方向を報告するための｛ＣＲＩ、ポートインデックス｝のようにペアリングされた情報タイプになる。ビーム関連情報以外に、対応するビーム利得関連メトリックは共に報告される必要があり、ＲＳＲＰ、ＲＳＲＱ又はＣＱＩタイプなどのコンテンツを含んで共に報告される必要のあるメトリックの詳細は追加で研究される必要がある。
【０２３２】
タイプ２ＣＳＩ−ＲＳ資源が特定測定セッティングで指示されると、設定されたタイプ２ＣＳＩ−ＲＳ資源内のＣＳＩ−ＲＳポートに対応する少なくとも好まれるビーム方向情報は報告される必要があり、対応するビーム利得関連メトリックも共に報告される必要がある。
【０２３３】
ＣＳＩ取得のためのセッティング／設定の提案
【０２３４】
１．ＲＳ（Resource/Reference Signal）セッティング（setting）
【０２３５】
図１２は、本発明の一実施形態によるＣＳＩ−ＲＳ送信方式を例示した図である。特に、図１２（ａ）は、タイプ１ＣＳＩ−ＲＳ送信方式を、図１２（ｂ）はタイプ２ＣＳＩ−ＲＳ送信方式をそれぞれ例示する。
【０２３６】
図１２（ａ）に示すように、既存のＣＳＩ−ＲＳ設定方式は、ＣＳＩ−ＲＳポート数及び／又はシーケンス生成／スクランブリングパラメータが設定され、特定周期／オフセットが設定され（非周期的ＣＳＩ−ＲＳなどの場合は省略することができる）、各ＣＳＩ−ＲＳ送信時点（instance）でＣＳＩ−ＲＳが送信される周波数／時間資源位置（例えば、ＣＳＩ−ＲＳ ＲＥ位置／パターン）は事前に（ＲＲＣシグナリングを通じて）設定される構造に従う。以下ではこのような方式／構造に従うＣＳＩ−ＲＳを便宜上「タイプ１ＣＳＩ−ＲＳ」と称する。
【０２３７】
これに対して、図１２（ｂ）を参照すると、前述したように、特定ＣＳＩ−ＲＳ資源設定が「（サブ）時間単位」関連設定によりさらに細分化され、（サブ）時間単位に対する端末の細部動作オプションなどがさらに設定されることもできる。以下ではこのような設定に従うＣＳＩ−ＲＳを便宜上「タイプ２ＣＳＩ−ＲＳ」と称する。
【０２３８】
図１２（ｂ）に示すように、タイプ２ＣＳＩ−ＲＳも基本的にタイプ１ＣＳＩ−ＲＳのように周期／オフセットパラメータが設定されることができ（又は周期／オフセットパラメータの明示的設定が省略され、時間単位が現れる各時点に基づいて周期／オフセットパラメータが暗黙的に設定される方式も可能、例えば、集中的（bursty）に複数の時間単位が継続して現れる形態に設定／限定されることもでき、これは非周期的ＣＳＩ−ＲＳ設定と連係されて該当ＣＳＩ−ＲＳバースト（burst）の開始時点などが設定／指示されることができる）、設定された周期／オフセットパラメータにより指示されるＣＳＩ−ＲＳの各送信時点を基準に該当（サブ）時間単位内の詳細な送信時点を明示的に指示する付加的な（時間単位オフセット）パラメータが共に設定されることができる。そして／または、（基本(default)設定方法として）ＣＳＩ−ＲＳの各送信時点が各時間単位の開始時点に定義／設定／限定されることができる（図１２（ｂ）に示すように）。
【０２３９】
時間単位内で複数のサブ時間単位が設定される。サブ時間単位は、図１２（ｂ）に示すように、（時間単位内で）常に継続的に（consecutive）位置／設定されるものに限定されることができる。あるいは、より柔軟にサブ時間単位が１つの時間単位内で追加的な周期／オフセットに設定できるようにこれに関連したパラメータが共に設定されることもできる。さらに他の方法としては、より柔軟に時間単位内のサブ時間単位の位置を指示する指示情報（例えば、ビットマップ形態の指示情報）が共に設定されることもできる。この場合、不規則的にサブ時間単位の位置設定支援が可能であるため、資源活用の柔軟性がより高いという利点がある。
【０２４０】
以下、このようなタイプ１及びタイプ２ＣＳＩ−ＲＳが端末にどのような形態に設定され、これと連係してＣＳＩ−ＩＭ／測定／報告セッティング及び関連動作上にどのような制約条件が与えられるかについて説明する。さらに、これに基づいた効果的なＣＳＩ取得動作を提案する。
【０２４１】
［ＲＳセッティング（setting）案＃１］−タイプ１及びタイプ２ＣＳＩ−ＲＳが明示的に区分されて設定される（各タイプによる細部連係動作もこれに依存して定義／設定される）
【０２４２】
ＲＳセッティング案＃１によると、端末は、ＲＳセッティング関連設定を受ける場合（configured with）、特定ＲＳセッティングを識別するための識別子／ＩＤ（例えば、ＲＳセッティング＃１、＃２、…など）を用いて／通じて少なくとも１つのＲＳセッティングの設定を受けることができる。
【０２４３】
もし、端末がＲＳセッティング＃１とＲＳセッティング＃２の設定を受ける場合を仮定すると、各ＲＳセッティングは次の例示のように独立的に／別途に設定される：
【０２４４】
−ＲＳセッティング＃１は（サブ）時間単位などのパラメータが「ない／指示されない」形態に設定される
【０２４５】
この場合、ＲＳセッティング＃１は既存の方式と類似し、ＲＳセッティング＃１がタイプ１ＣＳＩ−ＲＳ形態であると通知する別途のインジケータが同伴設定されることができる。または、端末は、別途のインジケータがなくても暗黙的に（サブ）時間単位などと関連したパラメータが設定されていないことに基づいてＲＳセッティング＃１がタイプ１ＣＳＩ−ＲＳ形態であることを認識することもできる。
【０２４６】
ＲＳセッティング＃１はＭＩＭＯ ＣＳＩフィードバック目的に限定されることができる。例えば、ＲＳセッティング＃１は、ＣＲＩ（ＣＳＩ−ＲＳ Resource Indicator）、ＲＩ（Rank Indicator）、ＰＭＩ（Precoding Matrix Indicator）、及び／又はＣＱＩ（Channel Quality Indicator）などが含まれた形態の報告セッティング（reporting setting）のみと連結／連係されるように制限されることができる。そして／または、このようなＲＳセッティング＃１は、測定セッティング（measurement setting）で必ず少なくとも１つの特定ＩＭセッティング及び／又はＣＱＩ導出のためのＴｘスキーム（scheme）を含む仮定と共に指示されるべきであるものに限定されることができる（ＭＩＭＯ ＣＳＩ導出の目的であるので）。従って、測定セッティングでは必ずこれに反しない設定のみが可能であり、端末もこれに反する設定は期待しない。
【０２４７】
−ＲＳセッティング＃２は、（サブ）時間単位などのパラメータが「ある／指示された」形態に設定される
【０２４８】
この場合、ＲＳセッティング＃２がタイプ２ＣＳＩ−ＲＳ形態であると通知する別途のインジケータが同伴設定されることができる。または、端末は、別途のインジケータがなくても暗黙的に（サブ）時間単位などに関連したパラメータが設定されていることに基づいて前記ＲＳセッティング＃２がタイプ２ＣＳＩ−ＲＳ形態であることを認識することができる。
【０２４９】
ここで、ＲＳセッティング＃２は、Ｐ−１、Ｐ−２、及び／又はＰ−３ビーム運営（management）目的に使用／適用されるものに限定されることができる。例えば、ＲＳセッティング＃２は、端末がＣＲＩのみを報告（及び／又はそれに対応するＣＱＩなど、ビーム利得が反映された信号品質関連報告）するように限定された報告セッティング（reporting setting）と連結／連係されることができる。そして／または、ＲＳセッティング＃２は、端末が別途のビームＩＤ報告（ビームＩＤが定義されている場合にのみ）又は好む（サブ）時間単位インデックス報告など特定時点で測定されたＣＳＩ−ＲＳに対する受信信号品質観点からの選好度を報告する形態の報告セッティングと連結／連係されることができる。そして／または、ＲＳセッティング＃２は、ＲＳ（例えば、ＣＳＩ−ＲＳ）の（ポート別又はポートグループ別）ＲＳＲＰ（Reference Signal Received Power）などの長期（long-term）ＲＳパワー値（及び／又はＲＳＲＱ(Reference Signal Received Quality)などの干渉量を考慮した長期ＲＳ受信品質値）を端末が報告する形態の報告セッティングと連結／連係されることができる。ＲＳＲＱ形態のメトリックの計算時、端末は、設定されたＲＳセッティングと連結／連係されたＩＭセッティングを通じて干渉測定を行う。このとき、ＲＳＲＱ形態のメトリックが特定ポート（又はポートグループ）単位で計算されるように設定されると、該当ポート（又はポートグループ）単位別に連結／連係されるＩＭ資源が独立的に／異なるように設定されることができる。ポート（又はポートグループ）単位別に適用されたビームが異なるので、このように各ポート（又はポートグループ）単位別ＩＭ資源／セッティングを独立的に設定して柔軟性及び効率性を向上させることができる。
【０２５０】
もし、Ｐ−３ビーム運営目的のためにも端末がＲＳＲＱ形態のメトリックを計算するように設定されると、設定されるＩＭ資源もＵＥビームスキャニング／スイーピングのために繰り返される必要があり、このような繰り返しを考慮したＩＭセッティングが支援されることができる。例えば、ＩＭセッティングでもタイプ２形態の（サブ）時間単位などに区分された複数の時点が設定可能に支援されることができる。ここで、より特徴的に、相互関連／連係されたＲＳセッティングとＩＭセッティングの資源位置は、全て同一の時点（又は特定ｎ個の連続的な時点）の資源位置に設定される形態にのみ（例えば、ＦＤＭ(のみ)適用できるようにするなど）限定される。このような細部提案動作は、以下後述する様々な実施形態（特に、ＲＳセッティング案＃２など）にも拡張適用できる。
【０２５１】
そして／または、ＲＳセッティング＃２が少なくてもＰ−３ビーム運営目的（例えば、端末の受信ビーム決定目的）に使用／適用される場合、測定セッティングで（特定又は全ての）ＩＭセッティングに連結されていないものに、そして／または（特定又は全ての）報告セッティングに連結されていないものに限定されることができ、ＵＥはそれ以外の設定を期待しない。これは、「ＲＳセッティングｏｎｌｙ」モード形態などに定義／設定されて該当モードがトリガリングされるか、「報告及び／又はＩＭセッティングのない測定セッティング（measurement setting with no reporting and/or IM settings）」などの形態の設定が別途に提供されることができる。
【０２５２】
すなわち、少なくともＰ−３ビーム運営目的でＣＳＩ−ＲＳ測定が設定／指示された端末は、同一のＴｘビームを通じて送信されるＣＳＩ−ＲＳ資源を繰り返し測定するが、これに対するいかなるＣＳＩ（例えば、ＣＲＩ、ＲＩ、ＰＭＩ及び／又はＣＱＩ）も基地局に報告しないことができる。それに対して、Ｐ−１又はＰ−２ビーム運営目的でＣＳＩ−ＲＳ測定が設定／指示された端末は、異なるＴｘビームを通じて送信されるＣＳＩ−ＲＳ資源を測定し、測定結果に応じたＣＳＩ（特に、ＣＲＩ）を基地局に報告することができる。これは、「ＯＮ」に設定された「ＲｅｓｏｕｒｃｅＲｅｐ（又はＣＳＩ−ＲＳ−ＲｅｓｏｕｒｃｅＲｅｐ） ＲＲＣパラメータ」が設定／受信された端末はいかなるＣＳＩも基地局に報告せず、「ＯＦＦ」に設定された「ＲｅｓｏｕｒｃｅＲｅｐ（又はＣＳＩ−ＲＳ−ＲｅｓｏｕｒｃｅＲｅｐ） ＲＲＣパラメータ」が設定／受信された端末はＲＳ（例えば、ＣＳＩ−ＲＳ）を測定した結果に応じたＣＳＩ（特に、ＣＲＩ）を基地局に報告できると表現することができる。その理由は、前述したように、Ｐ−１及びＰ−２手順は基地局が最適な（best）Ｔｘビームを選択することが目的であるため（すなわち、選択主体が基地局）端末のＣＳＩフィードバックを必要とすることに対して、Ｐ−３手順の場合、端末が最適なＲｘビームを選択することが目的であるため（すなわち、選択主体が端末）ＣＳＩフィードバックを必ずしも必要とすることではないからである。しかしながら、これらに限定されるものではなく、前述したように、Ｐ−３ビーム運営目的に設定／指示された場合も端末は実施形態によってＣＳＩを基地局に報告することができる。
【０２５３】
従って、Ｐ−３ビーム運営目的でＣＳＩ−ＲＳ測定が設定／指示された端末は、「Ｎｏ  ｒｅｐｏｒｔ」を指示する「ＲｅｐｏｒｔＱｕａｎｔｉｔｙ」ＲＲＣパラメータが設定／指示されることができる。ここで、「ＲｅｐｏｒｔＱｕａｎｔｉｔｙ」ＲＲＣパラメータは、端末が報告しなければならないＣＳＩ関連情報を指示するＲＲＣパラメータに該当する。
【０２５４】
各端末が事前に（例えば、初期接続時）（各／特定周波数／キャリア別に）タイプ１ＣＳＩ−ＲＳを支援／実現するか及び／又はタイプ２ＣＳＩ−ＲＳを支援／実現するかを基地局に通知することができ（例えば、ＵＥ能力シグナリングなどを通じて）、基地局は、端末が支援／実現可能なタイプのＣＳＩ−ＲＳのみが設定可能であるように制限されることができる。または、端末がタイプ１ＣＳＩ−ＲＳは必ず支援／実現すべきであると規定され、この場合は、端末はタイプ２ＣＳＩ−ＲＳの支援／実現可否のみを基地局に別途に通知することもできる。そして／または、端末がＰ−１、Ｐ−２、及び／又はＰ−３ビーム運営関連動作を支援／実現するか（及び／又は特定前述したＵ−１、Ｕ−２及び／又はＵ−３を含むＵＬビーム運営手順関連動作を支援／実現するか）に対してＵＥ能力シグナリング形態などで基地局に通知し、基地局はこれに基づいて端末支援／実現可能な動作内でのみ端末を設定するように制限されることができる。
【０２５５】
そして／または、基地局が端末に（各／特定周波数／キャリア別に）ＲＲＣシグナリングなどの上位層信号によりタイプ１ＣＳＩ−ＲＳのみが設定されるか、タイプ２ＣＳＩ−ＲＳのみが設定されるか、又は上記例示のようにタイプ１とタイプ２ＣＳＩ−ＲＳが混合／組み合わされて設定されるかをＵＥ特定設定（周波数／キャリア別に）形態で通知することができる。これにより、特定タイプのＣＳＩ−ＲＳを設定するか否かを（半静的(semi-static)に）スイッチングする動作を支援することができる。このような動作は、特に具体的な各ＣＳＩ−ＲＳ設定がＲＲＣレベル以下で（例えば、ＭＡＣ ＣＥ及び／又はＬ１シグナリングなど）制御される構造にさらに効果的に作用する。すなわち、基地局は、ＲＲＣレベルにＣＳＩ−ＲＳタイプを予め設定した後、各ＣＳＩ−ＲＳ設定に対してＭＡＣ ＣＥに細部パラメータ制御／スイッチングを行うとき、ＲＲＣレベルに設定されたタイプのＣＳＩ−ＲＳと連係／関連された細部パラメータのみを変更／アップデートすればよいので、端末の実現複雑度が一定のレベル以下に保証されるという効果が発生する。
【０２５６】
［ＲＳセッティング案＃２］−特定条件（例えば、ｅＭＢＢ(enhanced Mobile BroadBand)サービス用途、ビーム運営関連動作が設定された場合など）下で、又は特定システム（例えば、ＮＲ）では、常にタイプ２ＣＳＩ−ＲＳのみが定義／設定／支援可能であるものに限定。
【０２５７】
ＲＳセッティング案＃２によると、端末は、ＲＳセッティング関連設定を受ける場合（configured with）、前述したＲＳセッティング案＃１のように特定ＲＳセッティングを識別するための識別子／ＩＤ（例えば、ＲＳセッティング＃１、＃２、…など）を用いて／通じて少なくとも１つのＲＳセッティングの設定を受けることができる。ただ、ＲＳセッティング案＃２は、以下の実施形態で後述するように、ＲＳセッティング案＃１に比べてはるかに減少した個数のＲＳセッティングのみでも測定／報告セッティングでの設定方法によって様々な形態のＣＳＩ取得動作が設定できるという特徴がある。すなわち、ＲＳセッティング案＃２の場合、ＲＳセッティングで最大限に汎用性があるように／広く／最小限に設定できるようにするが（このために、前記特定条件／システムの場合はタイプ２ＣＳＩ−ＲＳのみを設定可能に限定）、これに関する測定／報告セッティングで用途に合う細部パラメータを設定するので、より柔軟な形態のＲＳセッティングが可能である。
【０２５８】
ＲＳセッティング案＃２の実施形態として、端末が次のように特定ＲＳセッティング＃１のみの統合設定を受けることにより、ＲＳセッティング案＃１で例示したＲＳセッティング＃１と#２の目的を全て達成することができる：
【０２５９】
図１３及び図１４は、本発明の一実施形態によるＲＳセッティング案を例示した図である。
【０２６０】
ＲＳセッティング＃１は（サブ）時間単位などのパラメータがある／設定された／指示された形態に設定される。これは、ＲＳセッティング＃１がＰ−１、Ｐ−２、及び／又はＰ−３ビーム運営目的だけでなく、ＭＩＭＯ ＣＳＩフィードバック目的としても共通に利用できるようにするためである。
【０２６１】
図１３及び図１４に示すように、このようなＲＳセッティング＃１では基本的にＣＳＩ−ＲＳポート数、ＣＳＩ−ＲＳ ＲＥ位置／パターン、シーケンス生成／スクランブリングパラメータ、ＱＣＬ関連パラメータ、周期／オフセット関連パラメータ、時間／サブ時間単位関連パラメータ（例えば、各ＣＳＩ−ＲＳ周期によるＣＳＩ−ＲＳ時点を基準にした時間単位の間隔(interval)／開始地点／終了地点など、１つの時間単位内に存在するサブ時間単位数、各サブ時間単位の長さ／位置など(例えば、時間単位内で連続的か、周期的か、又はビットマップ形態で指示されて不規則的に位置するかなど)に関するパラメータ））のうち少なくとも１つが設定される。これよりさらに詳細な／具体的なＣＳＩ−ＲＳポート割り当て情報（設定されたＲＥパターンに対するＴＤＭ、ＦＤＭ及び／又はＣＤＭ）、ポートナンバリング情報などは、該当ＲＳセッティングでは設定されないという特徴を有する。そして／または、ＣＳＩ−ＲＳポート数情報も該当ＲＳセッティングで設定されないことがあり、その後の測定セッティングなどを通じて具体的な設定が提供されることができる。
【０２６２】
すなわち、ＲＳセッティングを通じては代表的にＣＳＩ−ＲＳが送信されるＲＥ位置情報だけがまず設定され、該当ＲＥ位置に実際にどのポート／シーケンス／信号が送信されるかは測定セッティングなどを通じて柔軟に設定される。
【０２６３】
その後の測定セッティングでＲＳセッティングをＰ−１、Ｐ−２及び／又はＰ−３ビーム運営目的と連係／連結させる場合、例えば、図１３に示すように、それぞれ設定されたＣＳＩ−ＲＳポートに「Ｎｏ （時間ドメイン上での） ＣＤＭ」が適用されるように限定されることができる。図１３において、異なるパターンを有する小さい正方形で表現された資源単位ではそれぞれ異なるＣＳＩ−ＲＳポートが送信されることができる（すなわち、各ＣＳＩ−ＲＳポートは特定単一サブ時間単位でのみ送信される）。このように、各ＣＳＩ−ＲＳポート間に（時間ドメイン上で）ＣＤＭが適用されずにＴＤＭが適用されることが、Ｐ−１、Ｐ−２、及び／又はＰ−３ビーム運営目的に（特に、各サブ時間単位別に異なるＴｘアナログビームが適用された場合に）より適合することができる。また、ビーム運営目的上、各サブ時間単位別にＣＳＩ−ＲＳを測定し、好むサブ時間単位インデックスなどを報告するように設定された場合、端末は、各サブ時間単位別の単一ＣＳＩ−ＲＳポートの測定だけでも設定された動作を実行することができる。従って、「Ｎｏ （時間−ドメイン上での）ＣＤＭ」に限定しても基地局が意図した目的を達成するのに十分であるので、このような限定により端末実現複雑度が適正レベルに効果的に維持できる。
【０２６４】
そして／または、ＲＳセッティング＃１が少なくともＰ−３ビーム運営目的（例えば、端末の受信ビーム決定目的）に使用／適用される場合、測定セッティングで（特定又は全ての）ＩＭセッティングに連結されないものに、及び／又は（特定又は全ての）報告セッティングに連結されないものに限定されることができ、ＵＥは、それ以外の設定を期待しない。これは、「ＲＳセッティングｏｎｌｙ」モード形態などに定義／設定されて該当モードがトリガリングされるか、「報告及び／又はＩＭセッティングのない測定セッティング（measurement setting with no reporting and/or IM settings）」などの形態の設定が別途に提供されることができる。
【０２６５】
すなわち、少なくともＰ−３ビーム運営目的でＣＳＩ−ＲＳ測定が設定／示された端末は、同一のＴｘビームを通じて送信されるＣＳＩ−ＲＳ資源を繰り返し測定するが、これに対するいかなるＣＳＩ（例えば、ＣＲＩ、ＲＩ、ＰＭＩ及び／又はＣＱＩ）も基地局に報告しないことができる。それに対して、Ｐ−１又はＰ−２ビーム運営目的でＣＳＩ−ＲＳ測定が設定／指示された端末は、異なるＴｘビームを通じて送信されるＣＳＩ−ＲＳ資源を測定し、測定結果に応じたＣＳＩ（特に、ＣＲＩ）を基地局に報告することができる。これは、「ＯＮ」に設定された「ＲｅｓｏｕｒｃｅＲｅｐ（又はＣＳＩ−ＲＳ−ＲｅｓｏｕｒｃｅＲｅｐ） ＲＲＣパラメータ」が設定／受信された端末は、いかなるＣＳＩも基地局に報告せず、「ＯＦＦ」に設定された「ＲｅｓｏｕｒｃｅＲｅｐ（又はＣＳＩ−ＲＳ−ＲｅｓｏｕｒｃｅＲｅｐ） ＲＲＣパラメータ」が設定／受信された端末は、ＲＳ（例えば、ＣＳＩ−ＲＳ）を測定した結果に応じたＣＳＩ（特に、ＣＲＩ）を基地局に報告することができると表現できる。その理由は、前述したように、Ｐ−１及びＰ−２手順は、基地局が最適な（best）Ｔｘビームを選択することが目的であるため（すなわち、選択主体が基地局）、端末のＣＳＩフィードバックを必要とするに対して、Ｐ−３手順の場合、端末が最適なＲｘビームを選択することが目的であるので（すなわち、選択主体が端末）、ＣＳＩフィードバックを必ずしも必要とすることではないからである。しかしながら、これらに限定されるものではなく、前述したように、Ｐ−３ビーム運営目的に設定／指示された場合も端末は実施形態によってＣＳＩを基地局に報告することができる。
【０２６６】
従って、Ｐ−３ビーム運営目的でＣＳＩ−ＲＳ測定が設定／指示された端末は、「Ｎｏ ｒｅｐｏｒｔ」を指示する「ＲｅｐｏｒｔＱｕａｎｔｉｔｙ」ＲＲＣパラメータが設定／指示されることができる。ここで、「ＲｅｐｏｒｔＱｕａｎｔｉｔｙ」ＲＲＣパラメータは、端末が報告しなければならないＣＳＩ関連情報を指示するＲＲＣパラメータに該当する。
【０２６７】
または、測定セッティングで該当ＲＳセッティング＃１をＭＩＭＯ ＣＳＩフィードバック目的と連結／連係させるとき、図１４に示すように、設定されたＣＳＩ−ＲＳポートそれぞれに「ＣＤＭ長さｘ（時間ドメインを含む）」を適用し、ポート間にＴＤＭされることによる測定時間不一致（mismatch）が発生することを防止することができる。すなわち、各ＣＳＩ−ＲＳポートは、多数のサブ時間単位にわたって（時間ドメインの）ＣＤＭなどを通じてスプレッド（spread）されて送信されることができる。
【０２６８】
図１４は、これを例示するものであり、図１４において同一のパターンを有する小さい正方形は全て同一のＣＳＩ−ＲＳポートが送信される資源単位（又は資源位置）を意味する。図１３に示すように、同一のパターンの資源は各時間単位区間内でスプレッドされている（すなわち、複数のサブ時間単位にわたってスプレッドされている）。また、図１４に示すように、異なるパターンで表現された異なるＣＳＩ−ＲＳポートは同一の資源位置で重複して送信されることができる。これは、ＣＤＭ方式適用によるシーケンス／コード−ドメイン分離により、各ＣＳＩ−ＲＳポートから送信される信号間送信資源の位置が重なるにもかかわらず、ＣＳＩ−ＲＳポート別に分離された送受信が可能であることを意味する。
【０２６９】
そして／または、該当ＲＳセッティング＃１と連係／関連された測定セッティングで必ず少なくとも１つの特定ＩＭセッティング及び／又はＣＱＩ導出のためのＴｘスキームを含む仮定が共に指示されなければならないものに限定されることができる（ＭＩＭＯ ＣＳＩ導出目的であるので）。従って、基地局は、測定セッティングでこれに反しない設定だけ可能であり、端末もこれに反する設定は期待しない。
【０２７０】
以上で説明した内容は実施形態にすぎず、その他、他の用途／目的によりＲＳセッティング案＃２のように統合された（unified）ＣＳＩ−ＲＳ設定を提供し、それに対する／関連する測定／報告セッティングなどで様々な用途に設定／適用する活用／変形実施形態も本発明の思想に含まれる。
【０２７１】
また他の一例として、ＲＳセッティング案＃２によると、ＣＳＩ−ＲＳ設定時にＲＳセッティングは常に時間／サブ時間単位関連パラメータ（例えば、各ＣＳＩ−ＲＳ周期によるＣＳＩ−ＲＳ時点を基準にした時間単位との間隔(interval)／開始地点／終了地点など、１つの時間単位内に存在するサブ時間単位数及び／又は各サブ時間単位の長さ／位置など(例えば、時間単位内で連続的か、周期的か、又はビットマップ形態で指示されて不規則的に位置するかなど)に関連したパラメータ）のうち少なくとも１つを常に含むように定義されることができる。この場合、基地局が従来のＭＩＭＯ ＣＳＩフィードバック用マルチポートＣＳＩ−ＲＳ資源を設定しようとする場合、基地局は、例えば、時間単位の間隔を１サブフレームに、１つの時間単位内に存在するサブ時間単位の数を１個に、該当ＣＳＩ−ＲＳ設定上の周期／オフセットによって指示される各ＣＳＩ−ＲＳ送信時点を時間／サブ時間単位のスタート点に定義／設定することにより従来のレガシＣＳＩ−ＲＳ設定をそのまま／類似するように設定することができる。
【０２７２】
従って、ＲＳセッティング案＃２をタイプ２ＣＳＩ−ＲＳ設定のみに従うように限定するが、タイプ１ＣＳＩ−ＲＳ設定も包括可能にｓｕｐｅｒ−ｓｅｔ形態に設計されることにより、上記のレガシＣＳＩ−ＲＳ設定も提供することができる。
【０２７３】
２．ＩＭセッティング
【０２７４】
端末は、ＩＭセッティング関連設定を受ける場合（configured with）、特定ＩＭセッティングを識別するための識別子／ＩＤ（例えば、ＩＭセッティング＃１、#２、…など）を通じて／用いて少なくとも１つのＩＭセッティングの設定を受けることができる。
【０２７５】
ＩＭセッティングで設定可能なパラメータとしては、実施形態として特定ＣＳＩ−ＩＭ資源ＲＥ位置／パターン（例えば、特定時間／周波数ドメイン上のＮ個ＲＥの集合、Ｎは事前に固定されるか、基地局が設定可能、例えば、Ｎ＝４）関連パラメータ、周期／オフセット関連パラメータ（非周期的ＣＳＩ−ＩＭが支援／適用される場合、周期及び／又はオフセットパラメータは省略することができ、基地局からトリガされる時点に従うように動作が定義／設定される）の少なくとも１つが存在する。そして／または、ＣＳＩ−ＩＭ資源ベースＩＭセッティングの以外にも、特定ＲＳベース（例えば、設定されたＲＳセッティングＩＤ♯ｋ）を参照／指示する形態でＩＭセッティングを適用するように設定方式が限定される。
【０２７６】
測定セッティングで特定ＩＭセッティングを参照する形態に設定する場合は、以下のように、ｉ）ＩＭセッティングをＭＩＭＯ ＣＳＩフィードバック目的に設定する場合と、ｉｉ）ＩＭセッティングをＰ−１、Ｐ−２及び／又はＰ−３ビーム運営を目的に設定する場合に大別される。
【０２７７】
ｉ）測定セッティングで特定ＩＭセッティングがＭＩＭＯ ＣＳＩフィードバック目的と連係／連結される場合、必ず少なくとも１つの特定ＲＳセッティング及び／又はＣＱＩ導出のためのＴｘスキームを含む仮定が共に指示されなければならないものに限定されることができる（ＭＩＭＯ ＣＳＩ導出目的であるので）。従って、測定セッティングで、基地局はこれに反しない設定だけ可能であり、端末もこれに反する設定を期待しない。
【０２７８】
ｉｉ）測定セッティングで特定ＩＭセッティングがＰ−１、Ｐ−２、及び／又はＰ−３ビーム運営目的と連結／連係される場合（特に、少なくともＰ−３ビーム運営目的の場合）、測定セッティングで該当特定ＩＭセッティングは（特定又は全ての）ＲＳセッティング及び／又は（特定又は全ての）報告セッティングと連結されないものに限定されることができ、ＵＥはこれに反する設定を期待しない。これは、「ＲＳセッティングｏｎｌｙ」モード形態などに定義／設定されて該当モードがトリガリングされるか、「報告及び／又はＩＭセッティングのない測定セッティング」などの形態の設定が別途に提供されることができる。
【０２７９】
その他、Ｐ−１及び／又はＰ−２ビーム運営目的において、特定ＩＭセッティングが特定測定セッティングにより参照／設定されるようにすることができる。この場合、端末がビーム運営関連報告を行うとき、参照／設定されたＩＭセッティングによる干渉測定も行ってＣＱＩのようなチャネル品質関連メトリックを導出し、導出されたメトリックが大きい（すなわち、好まれる）ビームＩＤ／インデックス及び／又はサブ時間単位インデックスなどを基地局に報告するように定義／設定される。このとき、端末は、前記ＣＱＩのようなチャネル品質関連メトリック値（又は特定量子化したメトリック値）を共に基地局に報告するように定義／設定される。
【０２８０】
３．測定セッティング
【０２８１】
端末は、測定セッティング関連設定を受ける場合（configured with）、特定測定セッティングを識別するための識別子／ＩＤ（例えば、測定セッティング＃１、#２、…など）を通じて／用いて少なくとも１つの測定セッティングの設定を受けることができる。
【０２８２】
測定セッティングで設定可能なパラメータとしては、実施形態としてＲＳセッティング＃ＩＤ、ＩＭセッティング＃ＩＤ、報告セッティング＃ＩＤ、及び／又はＣＱＩ導出のためのＴｘスキームが含まれる仮定などのパラメータ／情報のうち少なくとも１つが存在することができる。
【０２８３】
測定セッティングが（ＭＩＭＯ） ＣＳＩ報告を目的とする場合、前述した「ＲＳセッティング案＃１」に従うと、測定セッティングにはタイプ１ＣＳＩ−ＲＳ形態のみが設定されるように限定されることができる。また、測定セッティングが（ＭＩＭＯ） ＣＳＩ報告を目的とする場合、前述した「ＲＳセッティング案＃２」に従うと、測定セッティングは少なくとも１つのＲＳセッティングを含み、図１４に示すように、各ＲＳセッティングを通じて設定されたＣＳＩ−ＲＳポートに「ＣＤＭ長さｘ（時間ドメインを含む）」を適用して、ポート間にＴＤＭされることによる測定時間不一致の発生を防止することができる（すなわち、各ＣＳＩ−ＲＳポートは複数のサブ時間単位にわたって(時間ドメイン)ＣＤＭなどを通じてスプレッドされて送信される）。そして／または、（この場合に）測定セッティングでは、必ず少なくとも１つのＩＭセッティング及び／又はＣＱＩ導出のためのＴｘスキームが含まれる仮定が共に指示されなければならないものに限定されることができる（ＭＩＭＯ ＣＳＩ導出目的であるので）。従って、測定セッティングで、基地局は、これに反しない設定だけ可能であり、端末もこれに反する設定は期待しない。
【０２８４】
または、測定セッティングがＰ−１、Ｐ−２、及び／又はＰ−３ビーム運営関連報告を目的とする場合、前述した「ＲＳセッティング案＃１」に従うと、測定セッティングにはタイプ２ＣＳＩ−ＲＳ形態のみが設定されるように限定されることができる。また、測定セッティングがＰ−１、Ｐ−２、及び／又はＰ−３ビーム運営関連報告を目的とする場合、前述した「ＲＳセッティング案＃２」に従うと、測定セッティングは少なくとも１つのＲＳセッティングを含み、図１３に示すように各ＲＳセッティングを通じて設定されたＣＳＩ−ＲＳポートに「Ｎｏ （時間ドメイン）ＣＤＭ」が適用されるように限定されることができる。そして／または、測定セッティングが少なくともＰ−３ビーム運営目的（例えば、端末の受信ビーム決定目的）に使用／適用される場合、測定セッティングで（特定又は全ての）ＲＳセッティングは、（特定又は全ての）ＩＭセッティング及び／又は（特定又は全ての）報告セッティングと連結されないものに限定され、ＵＥもこれに反する設定を期待しない。
【０２８５】
これは、「ＲＳセッティングｏｎｌｙ」モード形態などに定義／設定されて該当モードがトリガリングされるか、「報告及び／又はＩＭセッティングのない測定セッティング（measurement setting with no reporting and/or IM settings）」のような形態の設定が別途に提供されることができる。
【０２８６】
それ以外に、本明細書の他の部分で言及された測定セッティング関連提案動作も全て本測定セッティング関連動作として包含／設定／適用されることは言うまでもない。
【０２８７】
４．報告セッティング
【０２８８】
端末は、報告セッティング関連設定を受ける場合（configured with）、特定報告セッティングを識別するための識別子／ＩＤ（例えば、報告セッティング＃１、#２、…など）を通じて／用いて少なくとも１つの報告セッティングの設定を受けることができる。
【０２８９】
報告セッティングで設定可能なパラメータとしては、実施形態として周期的又は非周期的報告モードインジケータ及び／又はそれに関連した報告パラメータ（例えば、周期的報告のための周期／オフセット／資源位置／送信フォーマット関連パラメータ、非周期的報告のための資源位置／送信フォーマット関連パラメータ）などの情報／パラメータのうち少なくとも１つが存在する。
【０２９０】
それ以外に、本明細書の他の部分で言及された報告セッティング関連提案動作なども全て本報告セッティング関連動作として包含／設定／適用されることは言うまでもない。
【０２９１】
図１５は、本発明の一実施形態によるＵＥのＣＳＩ−ＲＳ資源受信方法を例示したフローチャートである。本フローチャートと関連して前述した説明／実施形態が全て同一／類似するように適用されることができ、重複する説明は省略する。
【０２９２】
まず、ＵＥは、基地局から複数のＣＳＩ−ＲＳ資源が含まれたＣＳＩ−ＲＳ資源セットの設定を受ける（Ｓ１５１０）。このようなＣＳＩ−ＲＳ資源セットは、ＣＳＩ報告のためのＲＳ（resource）セッティングにより端末に設定され、ＲＳセッティングは上位層シグナリングを通じて端末に受信される。
【０２９３】
次に、ＵＥは、前記複数のＣＳＩ−ＲＳ資源を受信することができる（Ｓ１５２０）。
【０２９４】
次に、ＵＥは、複数のＣＳＩ−ＲＳ資源が同一又は異なるビームを通じて送信されるか否かに関する設定に基づいて前記複数のＣＳＩ−ＲＳ資源の測定結果として取得したＣＳＩを基地局に報告することができる（Ｓ１５３０）。
【０２９５】
より詳細には、もし、前記複数のＣＳＩ−ＲＳ資源の異なる送信ビーム（Ｔｘビーム）による送信が（ＵＥに）設定された場合（すなわち、Ｐ−１又はＰ−２目的のＣＳＩ取得手順の場合）、ＵＥは、前記複数のＣＳＩ−ＲＳ資源に対するＣＲＩを基地局に報告することができる。すなわち、ＵＥは、異なる送信ビームを通じて送信されたＣＳＩ−ＲＳ資源を測定／推定して、最も性能がよい／最適なＣＳＩ−ＲＳ資源を選択し、これに該当する／対応するＣＲＩをＣＳＩとして基地局に報告することができる。この場合、基地局は、端末から送信されたＣＲＩに基づいて前記異なる送信ビームのうち少なくとも１つの送信ビームを前記端末に対するデータ／信号送信に用いる送信ビームとして選択することができる。特に、基地局は、端末から送信されたＣＲＩに対応するＣＳＩ−ＲＳ資源送信に用いられた送信ビームを前記端末に対する送信に用いるビームとして選択することができる。ここで、ＣＳＩの報告方式は、前記ＣＳＩ−ＲＳ資源セッティングに関連したＣＳＩ報告セッティングにより端末に設定され、前記ＣＳＩ報告セッティングは、上位層シグナリングを通じて端末に受信される。このようなＣＳＩ報告セッティングとＲＳセッティング間の連結関係は、ＵＥに（上位層シグナリングにより）設定される測定セッティングにより指示されることができる。
【０２９６】
または、逆に、もし、複数のＣＳＩ−ＲＳ資源の同一の送信ビームによる送信が（ＵＥに）設定された場合（すなわち、Ｐ−３目的のＣＳＩ取得手順の場合）、ＵＥは、前記複数のＣＳＩ−ＲＳ資源に対する前記ＣＲＩを基地局に報告しないことができる。これは、Ｐ−３目的のＣＳＩ取得手順の場合、ＵＥのＲｘビームを選択／決定／変更することが目的であるからである。ここで、前記ＣＳＩ−ＲＳ資源に関連して「Ｎｏ ｒｅｐｏｒｔ」がＵＥに設定された場合（例えば、「Ｎｏ ｒｅｐｏｒｔ」に設定されたＲｅｐｏｒｔＱｕａｎｔｉｔｙ  ＲＲＣパラメータが端末に設定／受信された場合）、ＵＥは、前記ＣＲＩを含むいかなるＣＳＩも基地局に報告しないことができる（すなわち、何のＣＳＩも報告しない）。
【０２９７】
複数のＣＳＩ−ＲＳ資源がこのような送信ビームを通じて送信される場合、ＵＥは、複数のＣＳＩ−ＲＳ資源に対する測定結果に基づいてＵＥの受信ビームを決定／選択することができる。より詳細には、ＵＥは、複数のＣＳＩ−ＲＳ資源を異なる受信ビームを用いて受信／測定し、前記複数のＣＳＩ−ＲＳ資源に対する測定結果に基づいて異なる受信ビームのうち最適な性能を有する少なくとも１つの受信ビームを決定／選択することができる。
【０２９８】
ＵＥの受信ビームと基地局の送信ビームは一緒に（jointly）／同時に選択されるか（例えば、１つのＣＳＩ取得手順により）、予め設定された順序に従って順次選択されることができる（例えば、異なるＣＳＩ取得手順により）。ここで、予め設定された順序は、送信ビームから前記受信ビームへの順序で決定される（例えば、Ｐ−２手順を行って基地局の送信ビームを決定し、決定／選択された基地局の送信ビームを(同一の送信ビームとして)用いてＰ−３手順を行ってＵＥの受信ビームを決定）。
【０２９９】
本発明が適用できる装置一般
【０３００】
図１６は、本発明の一実施形態による無線通信装置のブロック構成図を例示する。
【０３０１】
図１６に示すように、無線通信システムは、基地局（ｅＮＢ）１６１０と基地局１６１０領域内に位置する複数の端末（ＵＥ）１６２０を含む。
【０３０２】
基地局１６１０は、プロセッサ（processor）１６１１、メモリ（memory）１６１２及びＲＦユニット（radio frequency unit）１６１３を含む。プロセッサ１６１１は、以上で提案された機能、過程及び／又は方法を実現する。無線インタフェースプロトコルの階層は、プロセッサ１６１１により実現されることができる。メモリ１６１２は、プロセッサ１６１１に接続され、プロセッサ１６１１を駆動するための多様な情報を保存する。ＲＦユニット１６１３は、プロセッサ１６１１に接続され、無線信号を送信及び／又は受信する。
【０３０３】
端末１６２０は、プロセッサ１６２１、メモリ１６２２及びＲＦユニット１６２３を含む。プロセッサ１６２１は、前述した実施形態で提案された機能、過程及び／又は方法を実現する。無線インタフェースプロトコルの階層は、プロセッサ１６２１により実現されることができる。メモリ１６２２は、プロセッサ１６２１に接続され、プロセッサ１６２１を駆動するための多様な情報を保存する。ＲＦユニット１６２３は、プロセッサ１６２１に接続され、無線信号を送信及び／又は受信する。
【０３０４】
メモリ１６１２、１６２２は、プロセッサ１６１１、１６２１の内部又は外部に位置し、周知の多様な手段でプロセッサ１６１１、１６２１に接続される。また、基地局１６１０及び／又は端末１６２０は、１つのアンテナ（single antenna）又は複数のアンテナ（multiple antenna）を有することができる。
【０３０５】
以上で説明された実施形態は本発明の構成要素と特徴が所定の形態に結合されたものである。各構成要素または特徴は、別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更可能である。ある実施形態の一部の構成や特徴は他の実施形態に含まれることができ、または他の実施形態の対応する構成または特徴と置き換えることができる。特許請求の範囲で明示的な引用関係がない請求項を結合して実施形態を構成するか、または出願後の補正により新たな請求項に含めることができることは明らかである。
【０３０６】
一方、本発明における「Ａ及び／又はＢ」は、Ａ及び／又はＢの少なくとも１つを意味すると解釈することができる。
【０３０７】
本発明に従う実施形態は多様な手段、例えば、ハードウェア、ファームウェア（ｆｉｒｍｗａｒｅ）、ソフトウェア、またはそれらの結合などにより具現化できる。ハードウェアによる具現化の場合、本発明の一実施形態は１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロ・プロセッサなどにより具現化できる。
【０３０８】
ファームウェアやソフトウェアによる具現化の場合、本発明の一実施形態は以上で説明された機能または動作を遂行するモジュール、手続、関数などの形態に具現化できる。ソフトウェアコードは、メモリに格納されてプロセッサにより駆動できる。前記メモリは、前記プロセッサ内部または外部に位置し、既に公知である多様な手段により前記プロセッサとデータをやり取りすることができる。
【０３０９】
本発明は、本発明の必須的特徴を逸脱しない範囲で他の特定の形態に具体化できることは当業者に明らかである。したがって、前述した詳細な説明は全ての面から制約的に解釈されてはならず、例示的なものとして考慮されなければならない。本発明の範囲は添付の請求項の合理的解釈により決定されなければならず、本発明の等価的範囲内での全ての変更は本発明の範囲に含まれる。
【産業上の利用可能性】
【０３１０】
本発明は３ＧＰＰ  ＬＴＥ／ＬＴＥ−Ａ／ＮＲシステムに適用される例を中心として説明したが、３ＧＰＰ  ＬＴＥ／ＬＴＥ−Ａ／ＮＲシステムの他にも多様な無線通信システムに適用可能である
【図１】
0006989617.tif 000020
【図２】
0006989617.tif 000021
【図３】
0006989617.tif 000022
【図４】
0006989617.tif 000023
【図５】
0006989617.tif 000024
【図６】
0006989617.tif 000025
【図７】
0006989617.tif 000026
【図８】
0006989617.tif 000027
【図９（ａ）】
0006989617.tif 000028
【図９（ｂ）】
0006989617.tif 000029
【図９（ｃ）】
0006989617.tif 000030
【図１０】
0006989617.tif 000031
【図１１】
0006989617.tif 000032
【図１２（ａ）】
0006989617.tif 000033
【図１２（ｂ）】
0006989617.tif 000034
【図１３】
0006989617.tif 000035
【図１４】
0006989617.tif 000036
【図１５】
0006989617.tif 000037
【図１６】
0006989617.tif 000038